(57)【要約】【課題】生体内組織膜を貫通する望ましくない穴を確実に閉じることができる生体内組織閉鎖装置を提供すること。【解決手段】生体内組織閉鎖装置は、アンカー４１および変形部４２を有し、生体内組織膜を貫通する望ましくない穴を閉じるクリップ４と、ハブを有するシース５と、先端部に変形部４２を着脱自在に保持するカバーチューブ６、カバーチューブ６をシース５に挿入した状態でハブと連結し得るコネクタおよび変形部４２を変形させる変形機構を有し、アンカー４１が前記穴の周辺部を覆った状態で変形部４２を変形させる操作を行なって、クリップ４を生体内に配置する配置装置とを備える。ハブがコネクタに連結した状態でコネクタをクリップ４に対して相対的に先端方向へ移動させることにより、シース５の先端がアンカー４１に当接してそのアンカー４１の姿勢を調整する。【選択図】図２１
2011000266.tif 000002
【特許請求の範囲】
【請求項１】
生体内組織膜を貫通する望ましくない穴を閉じる生体内組織閉鎖装置であって、
前記生体内組織膜の一方の面側から前記穴の周辺部を覆うアンカーと、変形可能な変形部とを有し、前記穴を閉じる閉鎖具と、
第１の管状体と、該第１の管状体の基端部に設けられたハブとを有するシースと、
前記第１の管状体に挿入可能で、先端部に前記変形部を着脱自在に保持する第２の管状体と、前記第２の管状体を前記第１の管状体に挿入した状態で前記ハブと連結し得るコネクタと、前記変形部を変形させる変形機構とを有し、前記アンカーが前記穴の周辺部を覆った状態で前記変形部を変形させる操作を行なって、前記閉鎖具を生体内に配置する配置装置とを備え、
前記ハブが前記コネクタに連結した状態で、前記アンカーは、前記第１の管状体の先端から突出し、前記コネクタは、前記閉鎖具に対して相対的に先端方向へ移動可能であり、
前記ハブが前記コネクタに連結した状態で前記コネクタを前記閉鎖具に対して相対的に先端方向へ移動させることにより、前記第１の管状体の先端が前記アンカーに当接して該アンカーの姿勢を調整する調整手段を有することを特徴とする生体内組織閉鎖装置。
【請求項２】
前記調整手段は、前記コネクタを前記閉鎖具に対して相対的に先端方向へ移動させる移動機構を有する請求項１に記載の生体内組織閉鎖装置。
【請求項３】
前記移動機構は、操作部材と、
前記操作部材の運動を前記コネクタの直線運動に変換する変換機構とを有する請求項２に記載の生体内組織閉鎖装置。
【請求項４】
前記変換機構は、カム機構またはリンク機構である請求項３に記載の生体内組織閉鎖装置。
【請求項５】
前記操作部材は、環状をなし、前記コネクタの基端側に回動自在に設置されており、
前記変換機構は、前記操作部材に設けられた第１のカム面と、該第１のカム面に当接し、前記コネクタに設けられた第２のカム面とを有し、前記第１のカム面および前記第２のカム面により前記操作部材の回転運動を前記コネクタの直線運動に変換するものである請求項３に記載の生体内組織閉鎖装置。
【請求項６】
前記配置装置は、前記第２の管状体を支持するケーシングを有し、
前記コネクタは、前記ケーシングに対して回動自在に設置され、該ケーシングに対して回動することにより、前記先端方向への移動が阻止された第１の状態と、前記先端方向への移動が可能な第２の状態とに切り替え可能に構成されている請求項１ないし５のいずれかに記載の生体内組織閉鎖装置。
【請求項７】
前記ケーシングと前記コネクタとの一方に、ガイドレールが設けられ、他方に、該ガイドレールに沿って移動する突起が設けられており、
前記ガイドレールは、周方向に延在する第１の部位と、該第１の部位に連通し、軸方向に延在する第２の部位とを有し、
前記コネクタが前記第２の状態のとき、前記突起は、前記ガイドレールの前記第１の部位と前記第２の部位との境界部に位置する請求項６に記載の生体内組織閉鎖装置。
【請求項８】
前記コネクタを基端方向に向けて付勢する付勢手段を有し、
前記調整手段により前記アンカーの姿勢が調整された後、前記付勢手段の付勢力により前記コネクタが基端方向へ移動して前記第１の管状体の先端が前記アンカーから離間するよう構成されている請求項１ないし７のいずれかに記載の生体内組織閉鎖装置。
【請求項９】
前記第１の管状体の先端が前記アンカーに当接して該アンカーの姿勢を調整する際は、前記第１の管状体の先端が、前記第２の管状体の先端を越えて先端側に移動するよう構成されている請求項１ないし８のいずれかに記載の生体内組織閉鎖装置。
【請求項１０】
前記ハブと前記コネクタとの連結は、他の部材を介して行われる請求項１ないし９のいずれかに記載の生体内組織閉鎖装置。
【発明の詳細な説明】
【技術分野】
【０００１】
本発明は、生体内組織閉鎖装置に関するものである。
【背景技術】
【０００２】
従来、血管や他の生体内組織中にカテーテル等の診断或いは治療用装置を挿入してなされる低侵襲手術が広く行なわれている。例えば、心臓の冠状動脈の狭窄の治療においては、その治療処置を行なうために血管内へカテーテル等の器具を挿入することが必要になる。
【０００３】
このようなカテーテルの血管内への挿入は、通常、大腿部に形成した穿刺孔を介して行なわれる。従って、治療処置が終了した後に、穿刺孔の止血を行なう必要があるが、大腿動脈からの出血時の血圧（出血血圧）は高いため、医療従事者が長時間の間、手指で押さえ続ける（用手圧迫）等の過酷な作業が必要となる。
【０００４】
近年、このような止血作業を容易かつ確実に行なうために、皮膚の表面の傷穴から挿入して血管壁（生体内組織膜）を貫通する傷穴を閉じる種々の装置が開発されている（例えば、特許文献１参照）。
【０００５】
特許文献１の生体内組織閉鎖装置は、血管壁（生体内組織膜）を貫通する傷穴およびその傷穴の周辺部（傷穴の周辺の血管壁）を血管の内側から覆うアンカーと、変形可能な変形部とを有し、傷穴を閉じる閉鎖具と、閉鎖具を着脱自在に保持し、変形部を変形させて傷穴を閉鎖具で閉じる操作を行なって、その閉鎖具を生体内に配置する配置装置とを備えている。
【０００６】
この生体内組織閉鎖装置を用いて血管の傷穴を閉じる際は、配置装置の先端部に閉鎖具の変形部を保持した状態で、配置装置の先端部（閉鎖具）を、その傷穴に挿入されているシースを介して、血管内に挿入する。そして、配置装置をゆっくりと、基端方向に移動させる。これにより、閉鎖具のアンカーは、血管壁の内側から傷穴およびその傷穴の周辺部に当接し、変形部は、血管の外側に移動する。この位置決めにおいては、術者は、配置装置を基端方向に移動させた際、アンカーが傷穴およびその周辺部に当接したときの抵抗（面当て抵抗）を感知すると、アンカーが傷穴およびその周辺部に当接し、アンカーの位置決めが完了したものと判断する。
【０００７】
次に、ロックレバーを操作して、ロックを解除した後、配置装置をゆっくりと、基端方向に移動させると、すべての各操作（動作）が順次、連続して行われ、変形部が変形し、閉鎖具により傷穴が閉じられて、その閉鎖具が生体内に配置（留置）される。
【０００８】
しかしながら、前記従来の生体内組織閉鎖装置では、配置装置の先端部（閉鎖具）をシースを介して血管内に挿入する際、閉鎖具は、折り畳まれた状態でシース内を移動してゆくので、その閉鎖具のアンカーがシースの先端から突出して血管内に挿入された直後は、アンカーがシースの軸方向に傾いており、その状態で配置装置を基端方向に移動させると、アンカーは、血管壁の傷穴やその傷穴の周辺部に正しく当接せず、また、傷穴を通り抜けてしまう虞がある。
【先行技術文献】
【特許文献】
【０００９】
【特許文献１】特願２００７−１１７７１６号公報
【発明の概要】
【発明が解決しようとする課題】
【００１０】
本発明の目的は、生体内組織膜を貫通する望ましくない穴を確実に閉じることができる生体内組織閉鎖装置を提供することにある。
【課題を解決するための手段】
【００１１】
このような目的は、下記（１）〜（１０）の本発明により達成される。
（１）  生体内組織膜を貫通する望ましくない穴を閉じる生体内組織閉鎖装置であって、
前記生体内組織膜の一方の面側から前記穴の周辺部を覆うアンカーと、変形可能な変形部とを有し、前記穴を閉じる閉鎖具と、
第１の管状体と、該第１の管状体の基端部に設けられたハブとを有するシースと、
前記第１の管状体に挿入可能で、先端部に前記変形部を着脱自在に保持する第２の管状体と、前記第２の管状体を前記第１の管状体に挿入した状態で前記ハブと連結し得るコネクタと、前記変形部を変形させる変形機構とを有し、前記アンカーが前記穴の周辺部を覆った状態で前記変形部を変形させる操作を行なって、前記閉鎖具を生体内に配置する配置装置とを備え、
前記ハブが前記コネクタに連結した状態で、前記アンカーは、前記第１の管状体の先端から突出し、前記コネクタは、前記閉鎖具に対して相対的に先端方向へ移動可能であり、
前記ハブが前記コネクタに連結した状態で前記コネクタを前記閉鎖具に対して相対的に先端方向へ移動させることにより、前記第１の管状体の先端が前記アンカーに当接して該アンカーの姿勢を調整する調整手段を有することを特徴とする生体内組織閉鎖装置。
【００１２】
（２）  前記調整手段は、前記コネクタを前記閉鎖具に対して相対的に先端方向へ移動させる移動機構を有する上記（１）に記載の生体内組織閉鎖装置。
【００１３】
（３）  前記移動機構は、操作部材と、
前記操作部材の運動を前記コネクタの直線運動に変換する変換機構とを有する上記（２）に記載の生体内組織閉鎖装置。
【００１４】
（４）  前記変換機構は、カム機構またはリンク機構である上記（３）に記載の生体内組織閉鎖装置。
【００１５】
（５）  前記操作部材は、環状をなし、前記コネクタの基端側に回動自在に設置されており、
前記変換機構は、前記操作部材に設けられた第１のカム面と、該第１のカム面に当接し、前記コネクタに設けられた第２のカム面とを有し、前記第１のカム面および前記第２のカム面により前記操作部材の回転運動を前記コネクタの直線運動に変換するものである上記（３）に記載の生体内組織閉鎖装置。
【００１６】
（６）  前記配置装置は、前記第２の管状体を支持するケーシングを有し、
前記コネクタは、前記ケーシングに対して回動自在に設置され、該ケーシングに対して回動することにより、前記先端方向への移動が阻止された第１の状態と、前記先端方向への移動が可能な第２の状態とに切り替え可能に構成されている上記（１）ないし（５）のいずれかに記載の生体内組織閉鎖装置。
【００１７】
（７）  前記ケーシングと前記コネクタとの一方に、ガイドレールが設けられ、他方に、該ガイドレールに沿って移動する突起が設けられており、
前記ガイドレールは、周方向に延在する第１の部位と、該第１の部位に連通し、軸方向に延在する第２の部位とを有し、
前記コネクタが前記第２の状態のとき、前記突起は、前記ガイドレールの前記第１の部位と前記第２の部位との境界部に位置する上記（６）に記載の生体内組織閉鎖装置。
【００１８】
（８）  前記コネクタを基端方向に向けて付勢する付勢手段を有し、
前記調整手段により前記アンカーの姿勢が調整された後、前記付勢手段の付勢力により前記コネクタが基端方向へ移動して前記第１の管状体の先端が前記アンカーから離間するよう構成されている上記（１）ないし（７）のいずれかに記載の生体内組織閉鎖装置。
【００１９】
（９）  前記第１の管状体の先端が前記アンカーに当接して該アンカーの姿勢を調整する際は、前記第１の管状体の先端が、前記第２の管状体の先端を越えて先端側に移動するよう構成されている上記（１）ないし（８）のいずれかに記載の生体内組織閉鎖装置。
【００２０】
（１０）  前記ハブと前記コネクタとの連結は、他の部材を介して行われる上記（１）ないし（９）のいずれかに記載の生体内組織閉鎖装置。
【発明の効果】
【００２１】
本発明によれば、生体内組織膜を貫通する望ましくない穴を閉じる際、配置装置の第２の管状体の先端部に保持されている閉鎖具をシースを介して生体内の所定部位に挿入した後、容易かつ確実に、その閉鎖具のアンカーの姿勢を適正な姿勢に調整することができる。これにより、その生体内組織膜の穴を容易かつ確実に閉じることができる。
【図面の簡単な説明】
【００２２】
【図１】本発明の生体内組織閉鎖装置の第１実施形態を示す斜視図である。
【図２】本発明の生体内組織閉鎖装置の第１実施形態を示す斜視図である。
【図３】図１に示す生体内組織閉鎖装置の配置装置の主要部の分解斜視図（各部材（部品）を示す図）である。
【図４】図１に示す生体内組織閉鎖装置の閉鎖具を示す斜視図である。
【図５】図１に示す生体内組織閉鎖装置の閉鎖具の結び目の一例を示した説明図である。
【図６】図１に示す生体内組織閉鎖装置の閉鎖具の結び目の他例を示した説明図である。
【図７】図１に示す生体内組織閉鎖装置の糸支持部、ピンおよび糸を示す斜視図である。
【図８】図１に示す生体内組織閉鎖装置の第１チャージ部材の基部を示す断面図である。
【図９】図１に示す生体内組織閉鎖装置の保持部材を示す斜視図である。
【図１０】図９に示す保持部材の基端側部材および先端側部材を示す斜視図である。
【図１１】図９に示す保持部材を示す断面図である。
【図１２】図１に示す生体内組織閉鎖装置の作用（動作）を説明するための斜視図である。
【図１３】図１に示す生体内組織閉鎖装置の第１の状態における第１チャージ部材、コネクタおよびケーシングを示す断面図である。
【図１４】図１に示す生体内組織閉鎖装置の第１の状態における第１チャージ部材およびコネクタを示す正面図である。
【図１５】図１に示す生体内組織閉鎖装置のケーシングを示す斜視図である。
【図１６】図１に示す生体内組織閉鎖装置の第２の状態における第１チャージ部材、コネクタおよびケーシングを示す断面図である。
【図１７】図１に示す生体内組織閉鎖装置の第２の状態における第１チャージ部材およびコネクタを示す正面図である。
【図１８】図１に示す生体内組織閉鎖装置の第２の状態における第１チャージ部材、コネクタおよびケーシングであって、その第１チャージ部材およびコネクタが先端方向へ移動した状態を示す断面図である。
【図１９】図１に示す生体内組織閉鎖装置の作用（動作）を説明するための斜視図である。
【図２０】図１に示す生体内組織閉鎖装置の作用（動作）を説明するための斜視図である。
【図２１】図１に示す生体内組織閉鎖装置の作用（動作）を説明するための斜視図である。
【図２２】図１に示す生体内組織閉鎖装置の作用（動作）を説明するための斜視図である。
【図２３】図１に示す生体内組織閉鎖装置の作用（動作）を説明するための斜視図である。
【図２４】図１に示す生体内組織閉鎖装置の作用（動作）を説明するための斜視図である。
【図２５】図１に示す生体内組織閉鎖装置の作用（動作）を説明するための斜視図である。
【図２６】図１に示す生体内組織閉鎖装置の作用（動作）を説明するための斜視図である。
【図２７】本発明の生体内組織閉鎖装置の第２実施形態におけるケーシング、コネクタおよび第１チャージ部材を示す断面図である。
【図２８】本発明の生体内組織閉鎖装置の第３実施形態を示す斜視図である。
【図２９】本発明の生体内組織閉鎖装置の第３実施形態を示す斜視図である。
【図３０】カム機構の他の構成例を示す斜視図である。
【図３１】本発明の生体内組織閉鎖装置の第４実施形態を示す斜視図である。
【図３２】本発明の生体内組織閉鎖装置の第４実施形態を示す斜視図である。
【発明を実施するための形態】
【００２３】
以下、本発明の生体内組織閉鎖装置を添付図面に示す好適な実施形態に基づいて詳細に説明する。
【００２４】
＜第１実施形態＞
図１および図２は、それぞれ、本発明の生体内組織閉鎖装置の第１実施形態を示す斜視図、図３は、図１に示す生体内組織閉鎖装置の配置装置の主要部の分解斜視図（各部材（部品）を示す図）、図４は、図１に示す生体内組織閉鎖装置の閉鎖具を示す斜視図、図５は、図１に示す生体内組織閉鎖装置の閉鎖具の結び目の一例を示した説明図、図６は、図１に示す生体内組織閉鎖装置の閉鎖具の結び目の他例を示した説明図、図７は、図１に示す生体内組織閉鎖装置の糸支持部、ピンおよび糸を示す斜視図、図８は、図１に示す生体内組織閉鎖装置の第１チャージ部材の基部を示す断面図、図９は、図１に示す生体内組織閉鎖装置の保持部材を示す斜視図、図１０は、図９に示す保持部材の基端側部材および先端側部材を示す斜視図、図１１は、図９に示す保持部材を示す断面図、図１２は、図１に示す生体内組織閉鎖装置の作用（動作）を説明するための斜視図、図１３は、図１に示す生体内組織閉鎖装置の第１の状態における第１チャージ部材、コネクタおよびケーシングを示す断面図、図１４は、図１に示す生体内組織閉鎖装置の第１の状態における第１チャージ部材およびコネクタを示す正面図、図１５は、図１に示す生体内組織閉鎖装置のケーシングを示す斜視図、図１６は、図１に示す生体内組織閉鎖装置の第２の状態における第１チャージ部材、コネクタおよびケーシングを示す断面図、図１７は、図１に示す生体内組織閉鎖装置の第２の状態における第１チャージ部材およびコネクタを示す正面図、図１８は、図１に示す生体内組織閉鎖装置の第２の状態における第１チャージ部材、コネクタおよびケーシングであって、その第１チャージ部材およびコネクタが先端方向へ移動した状態を示す断面図である。また、図１９〜図２６は、それぞれ、図１に示す生体内組織閉鎖装置の作用（動作）を説明するための斜視図である。
【００２５】
なお、図２、図１９〜図２０、図２２〜図２６では、ケーシングの上カバーの図示を省略する。
【００２６】
また、図１では、破線で丸く囲った部分のカバーチューブの内部および固定チューブの内部を拡大して示す。
【００２７】
また、図１１では、カバーチューブおよび固定チューブをそれぞれ破線で示し、図１２（ｃ）では、固定チューブを破線で示す。
【００２８】
また、図１、図２、図１９〜図２０、図２２〜図２６では、図面が煩雑になるのを避けるため、一部を除き、糸の図示を省略する。
【００２９】
また、説明の都合上、図１、図２、図３、図７〜図１１、図１３〜図２０、図２２〜図２６において、図中の矢印Ａの方向を「先端」、矢印Ｂの方向（手元側）を「基端」、矢印Ｃの方向を「上」、矢印Ｄの方向を「下」とし、図４〜図６、図１２および図２１において、図中の上側を「基端」、下側を「先端」として説明する。
【００３０】
これらの図に示す生体内組織閉鎖装置１は、例えば、血管等の生体管腔、生体内部器官、生体内部組織等の生体内組織膜に形成され、経皮的に貫通した望ましくない穴（生体内組織膜を貫通する望ましくない穴）を閉じる（閉鎖する）装置である。以下、前記望ましくない穴を「傷穴」と言う。
【００３１】
図１〜図４に示すように、生体内組織閉鎖装置１は、先端部が生体内組織膜を貫通する傷穴を貫通可能であり、基端側に手元部９を有する長尺状の配置装置（移送・変形手段）３と、中心部に軸線方向に貫通する貫通孔（内腔）５１を有するシース（長尺状の管体）５と、配置装置３の先端部において着脱自在に保持（連結）され、生体内組織膜を貫通する傷穴を閉じる閉鎖具（生体内組織閉鎖具）であるクリップ４とを備えている。
【００３２】
クリップ４は、クリップ本体（閉鎖具本体）４０と、固定部である糸（第１の糸状体）４６とを有し、クリップ本体４０は、アンカー４１と、変形可能な変形部４２と、アンカー４１と変形部４２とを接続する接続部４４とで構成されている。また、糸４６は、結び目４６１および輪４６２を有している。なお、このクリップ４については、後に詳述する。
【００３３】
配置装置３は、シース５内に挿入、すなわち、シース５に着脱自在に装着して用いられる（シース５を配置装置３に着脱自在に装着して用いられる）（図２０参照）。これらシース５および配置装置３により、長尺状の本体部２が構成される。また、止血作業（傷穴を閉じる作業）の際は、これらシース５および配置装置３の先端部と、クリップ４とが、それぞれ、傷穴を貫通する。すなわち、傷穴から血管等の生体の管腔（生体管腔）内に挿入される。
【００３４】
シース５は、長尺状の第１の管状体であるチューブ５０と、チューブ５０の基端部に設けられたハブ（コネクタ）５２とを有している。また、ハブ５２の内周側には、図示しないスリットが形成された止血弁（弁体）が設置されている。
【００３５】
また、ハブ５２の側部には、貫通孔５１に連通する管腔（流路）を有するポート部（突起）５３が形成されている。
【００３６】
また、ハブ５２の基端部の外周部には、溝５４が周方向に沿って１周に亘って形成されている。
【００３７】
このシース５としては、例えば、カテーテルを用いた治療（ＰＣＩ）や診断（ＣＡＧ）の処置後に留置されているシース（イントロデューサシース）を用いてもよく、また、この生体内組織閉鎖装置１専用のものであってもよい。
【００３８】
配置装置３は、クリップ４（クリップ４の糸４６）に対して着脱自在に連結し、クリップ４（クリップ４の糸４６）を保持する糸（第２の糸状体）８と、先端部が傷穴を貫通可能な長尺状の第２の管状体（長尺部）であるカバーチューブ（カバー部材）（カバー手段）６と、先端部が傷穴を貫通可能な長尺状の第３の管状体である固定チューブ（係止部材）（係止手段）７と、初期状態（組み立て直後の状態）においてカバーチューブ６の先端部に位置し、クリップ４を収納（保持）し、カバーチューブ６に沿って基端側（基端方向）に移動可能な保持部材（インサータ）１８と、固定チューブ７およびカバーチューブ６の基端側に設けられた手元部９とを有している。保持部材１８は、基端側に移動する際、クリップ４が保持部材１８に保持された状態から、変形部４２をカバーチューブ６の後述する開口部６１に押し込み、クリップ４の変形部４２がカバーチューブ６の開口部６１（先端部）に保持された状態にする機能を有する部材であるが、この保持部材１８は後に詳述する。
【００３９】
クリップ４（クリップ４の糸４６）は、この配置装置３の先端部において、カバーチューブ６および糸８により着脱自在に保持されており、これとともに、さらに、初期状態から保持部材１８を基端側に移動させるまでは、保持部材１８に収納され、保持されている。なお、糸８は、クリップ４における変形部４２のアンカー４１と反対側（先端側）の部分が変形部４２のアンカー４１側（根本部側）（基端側）の部分に対して相対的に移動（変位）し得るようにクリップ４を保持している。
【００４０】
また、固定チューブ７は、カバーチューブ６の管腔内（内側）に、同心的に設置（挿入）されており、カバーチューブ６は、固定チューブ７に対して、それらの長手方向に移動（摺動）し得るようになっている。これらカバーチューブ６および固定チューブ７は、シース５を装着する際、そのシース５の貫通孔５１に挿入される。また、手元部９は、これら固定チューブ７およびカバーチューブ６の基端側に設けられている。
【００４１】
固定チューブ７は、比較的硬い構成材料で形成されている。この固定チューブ７の横断面での形状は、先端部７１では、後述するクリップ４の糸４６の結び目４６１を係止でき（管腔内に結び目４６１が入らない）、かつ後述する保持部材１８が回転しない形状として、例えば、略楕円形（円を潰したような形状）をなし、それよりも基端側の部位では、略円形をなしている。
【００４２】
また、カバーチューブ６の先端部には、クリップ４の変形部４２が挿入され、その変形部４２を着脱自在に保持（装着）し得る開口部６１が形成されている。この開口部６１は、固定チューブ７の先端よりも先端側に位置している。また、カバーチューブ６の横断面での形状は、先端部、すなわち開口部６１では、変形部４２を保持し易い形状として、例えば、略楕円形（円を潰したような形状）をなし、また、その直近の基端側の部位（固定チューブ７の先端部７１に対応する部位）では、固定チューブ７の先端部７１に対応した形状、すなわち、略楕円形に変形し、また、それよりも基端側の部位では、略円形をなしている。
【００４３】
また、糸８は、固定チューブ７の管腔内（内側）に設置（挿入）されており、その固定チューブ７に対して、固定チューブ７の長手方向に移動し得るようになっている。
【００４４】
また、配置装置３のカバーチューブ６および固定チューブ７をシース５の基端側から貫通孔５１に挿入し、そのシース５を最も基端側に位置させたとき、シース５（チューブ５０）の先端からカバーチューブ６の開口部６１が露出し（シース５の先端がカバーチューブ６の先端より基端側に位置し）、シース５の先端が固定チューブ７の先端より基端側に位置するようになっている。
【００４５】
なお、カバーチューブ６により、固定チューブ７の外表面が覆われ、その開口部６１によりクリップ４の変形部４２の少なくとも一部が覆われる。
【００４６】
一方、固定チューブ７は、糸８によりクリップ４の糸４６が基端方向へ牽引される際、固定チューブ７の先端部７１にクリップ４の糸４６の結び目４６１が係止され、さらに、この結び目４６１を介して変形部４２が係止され（間接的に係止され）、これにより結び目４６１を相対的に先端方向へ移動させることにより、糸４６を締め付けて変形部４２を変形させる機能を有する。なお、その固定チューブ７、糸８、後述する糸支持部１５、ピン１７０、第２チャージ部材３３、スライド連結部材３４および１対のコイルバネ２２により、クリップ４の変形部４２を変形させる変形機構の主要部が構成される。
【００４７】
図１〜図３に示すように、手元部９は、ケーシング（本体）１１と、カバーチューブ６を支持するカバーチューブ支持部（カバー部材支持部）１４と、糸８を支持する糸支持部（保持部材支持部）１５と、糸支持部１５に回動可能に設置され、糸８を糸支持部１５に着脱自在に連結するピン（連結手段）１７０と、第１チャージ部材３２と、第２チャージ部材３３と、糸支持部１５と第２チャージ部材３３とを着脱自在に連結するスライド連結部材（連結手段）３４と、弾性部材（発動部材）である１対のコイルバネ（バネ）２２と、１対のガイドバー３７と、レバー（摘み）２８と、レバー２８の下側に接合されているロック部２９と、ストッパー３５とを有している。なお、第１チャージ部材３２および第２チャージ部材３３により、チャージ手段が構成される。
【００４８】
ケーシング１１は、上方に位置する上カバー１１ａと、下方に位置し、上カバー１１ａに接合された下カバー１１ｂとを有している。このケーシング１１は、基端側が閉じた筒状をなし、その先端部に小径部１１１が形成されている。
【００４９】
ケーシング１１の小径部１１１には、シース５を手元部９（ケーシング１１）に装着（固定）する機構、すなわち、保持部材１８および後述する第１チャージ部材３２の基部３２１を介してシース５のハブ５２をケーシング１１に連結（固定）する機構として、第１チャージ部材３２の基部３２１が着脱自在に固定されるコネクタ３１が設けられている。このコネクタ３１は、筒状をなしており、ケーシング１１の小径部１１１の外周側に、そのケーシング１１に対して周方向に回動（回転）自在に設置されている。また、コネクタ３１は、小径部１１１よりも先端側に突出している。
【００５０】
より詳細に説明すると、図１３および図１５に示すように、コネクタ３１の基端部には、ピン（突起）３１３が、そのコネクタ３１の内側に突出するように設けられており、ケーシング１１の小径部１１１の外周側には、そのピン３１３をガイドするガイドレールとして、溝１１２が形成されている。ピン３１３は、溝１１２に挿入され、その溝１１２に沿って移動し得るようになっており、このピン３１３および溝１１２により、ケーシング１１に対するコネクタ３１の移動方向が規制される。
【００５１】
溝１１２は、小径部１１１の周方向に延在する第１の部位１１２１と、その第１の部位１１２１に連通し、軸方向（長手方向）に延在する第２の部位１１２２とを有している。第２の部位１１２２は、直線状をなし、第１の部位１１２１の端部から先端方向に延びている。ピン３１３が溝１１２の第１の部位１１２１に位置するときは、ピン３１３がその第１の部位１１２１に沿って移動することにより、コネクタ３１は、ケーシング１１に対して周方向に回動することができ、また、ピン３１３が溝１１２の第２の部位１１２２に位置するときは、ピン３１３がその第２の部位１１２２に沿って移動することにより、コネクタ３１は、ケーシング１１に対して軸方向に移動することができる。また、ピン３１３が溝１１２の第１の部位１１２１と第２の部位１１２２との境界部に位置するときは、ピン３１３は、第１の部位１１２１と第２の部位１１２２とのいずれでもそれに沿って移動することができるので、コネクタ３１は、ケーシング１１に対して周方向と軸方向とのいずれにも移動することができる。
【００５２】
なお、溝１１２の第１の部位１１２１およびピン３１３は、それぞれ、図１３中では、その紙面の手前側に位置するが、それらを二点鎖線（仮想線）で示す。
【００５３】
ここで、初期状態では、コネクタ３１のピン３１３は、ケーシング１１の溝１１２における第１の部位１１２１の第２の部位１１２２と反対側の端部に位置しており、コネクタ３１は、ケーシング１１に対して、先端方向および基端方向（軸方向）への移動が阻止され、周方向にのみ回転することができる（第１の状態）。
【００５４】
また、初期状態からコネクタ３１を所定方向（図示例では、先端方向から見て反時計回り）に回転させ、ピン３１３が第１の部位１１２２と第２の部位１１２２との境界部まで移動した状態（コネクタ３１が回転しなくなるまで回転した状態）では、コネクタ３１は、ケーシング１１に対して、先端方向（軸方向）へ移動することが可能になる（第２の状態）。コネクタ３１をケーシング１１に対して先端方向へ移動させるときのコネクタ３１（シース５）の移動距離の最大値は、溝１１２の第２の部位１１２２の長さと等しく、適宜、その第２の部位１１２２の長さを設定することで、前記コネクタ３１の移動距離の最大値を所望の値に設定することができる。
【００５５】
このように、コネクタ３１は、ケーシング１１に対して回動することにより、先端方向（軸方向）への移動が阻止された第１の状態と、先端方向（軸方向）への移動が可能な第２の状態とに切り替え可能に構成されている。
【００５６】
なお、前記コネクタ３１、ケーシング１１の小径部１１１およびシース５の所定部位により、クリップ４のアンカー４１の姿勢を調整する調整手段の主要部が構成されるが、その調整手段の作用については、後に詳述する。
【００５７】
また、図１３および図１４に示すように、コネクタ３１の先端側の内周面には、後述する第１チャージ部材３２の基部３２１に形成されている１対の突起３２７、３２８を係止する１対の螺旋状のリブ（凸条）３１１、３１２が形成されている。なお、第１チャージ部材３２は、ケーシング１１に対して、周方向には回動せず、軸方向にのみ移動することができるようになっている。
【００５８】
リブ３１１および３１２は、それぞれ、互いに同一方向に旋回する螺旋状をなしており、リブ３１１の基端面に、突起３２７の先端面が係止され、リブ３１２の先端面に、突起３２８の基端面が係止されるように形成されている。
【００５９】
なお、リブ３１１および３１２は、コネクタ３１のピン３１３が第１の部位１１２１の第２の部位１１２２と反対側の端部に位置するときのみは、先端方向（軸方向）から見て、第１チャージ部材３２の基部３２１の突起３２７がリブ３１１の先端部と重ならず、突起３２８がリブ３１２の先端部と重なるようになっている。これにより、前記コネクタ３１のピン３１３が第１の部位１１２１の第２の部位１１２２と反対側の端部に位置している状態では、第１チャージ部材３２を基端方向に移動させ、その基部３２１の突起３２７をリブ３１１の先端部より基端側に配置し、かつ、基部３２１の突起３２８をリブ３１２に当接させるかまたはそのリブ３１２の直前に配置することができる。
【００６０】
また、コネクタ３１の外周面には、操作の際に指掛け部として作用する複数のリブ（凸条）３１５が、等間隔（等角度間隔）で形成されている。
【００６１】
また、ケーシング１１の先端部であって、上カバー１１ａの内側および下カバー１１ｂの内側には、それぞれ、後述する第１チャージ部材３２の対応する棒状体３２２の基端部３２５が当接し得るリブ（凸条）９１が、互いに対向するように、配置装置３（ケーシング１１）の長手方向に沿って形成されている。
【００６２】
また、ケーシング１１の基端部であって、下カバー１１ｂの内側には、リブ（凸条）９２が、配置装置３（ケーシング１１）の長手方向に沿って形成されており、このリブ９２の先端部の先端側に、段差部９２１が形成されている。
【００６３】
また、ケーシング１１内の中央部には、ガイドバー支持部３８が設けられ（固定され）、基端部には、ガイドバー支持部３９が設けられている（固定されている）。
【００６４】
１対のガイドバー３７は、それぞれ、ガイドバー支持部３８とガイドバー支持部３９との間に配置され、各ガイドバー３７の先端部は、それぞれ、ガイドバー支持部３８に保持（支持）され、基端部は、それぞれ、ガイドバー支持部３９に保持（支持）されている。また、各ガイドバー３７は、それぞれ、配置装置３（ケーシング１１）の長手方向に沿って、互いに平行になるように配置されている。
【００６５】
なお、各ガイドバー３７は、それぞれ、図示例では、パイプ（管）で構成されているが、これに限らず、例えば、中実であってもよい。
【００６６】
また、ケーシング１１内の基端側の側部には、１対のレール３６が設けられている（固定されている）。各レール３６は、それぞれ、配置装置３（ケーシング１１）の長手方向に沿って、互いに平行になるように配置されている。
【００６７】
各レール３６には、それぞれ、その長手方向（軸方向）に沿って延在する溝３６１が形成されている。各溝３６１は、互いに対向するように、レール３６の内側に形成されている。各レール３６の溝３６１には、それぞれ、後述するスライド連結部材３４の対応する棒状体３４２が挿入されている。
【００６８】
また、ケーシング１１の内部には、第１チャージ部材３２と、第２チャージ部材３３と、カバーチューブ支持部１４と、スライド連結部材３４と、糸支持部１５とが、それぞれ、ケーシング１１に対して、その配置装置３（ケーシング１１）の長手方向に移動可能に設置されている。
【００６９】
この場合、先端側から基端側に向って、第１チャージ部材３２、第２チャージ部材３３、スライド連結部材３４、糸支持部１５の順番に配置されている。そして、第２チャージ部材３３は、その先端部と基端部との間にガイドバー支持部３８が位置するように配置されている。
【００７０】
また、カバーチューブ支持部１４は、ガイドバー支持部３８と第２チャージ部材３３の基端部との間に位置するように配置されている。
【００７１】
また、第１チャージ部材３２の基部３２１は、コネクタ３１より先端側に位置している。
【００７２】
スライド連結部材３４は、基部３４１と、基部３４１の両側部から基端方向に向って突出する１対の棒状体３４２とで構成されている。
【００７３】
各棒状体３４２の基端部３４７には、それぞれ、互いに対向し、内側に向って突出する爪３４３が立設されている。
【００７４】
また、基部３４１には、１対のガイドバー３７が挿通する１対の孔部３４４が形成されている。
また、基部３４１の中央部には、糸８が挿通する孔部３４５が形成されている。
【００７５】
また、基部３４１には、上方に向って突出し、ロック部２９の突出部２９１に係止される突起３４６が形成されている。
【００７６】
図１〜図７に示すように、糸支持部１５の先端部の両側部には、それぞれ、スライド連結部材３４の対応する爪３４３と係合する突起１５５が形成されている。
【００７７】
また、糸支持部１５の先端部より基端側には、上方および基端に開放した凹部１５０が形成されている。
【００７８】
また、糸支持部１５の先端部には、糸８が引っ掛けられる糸固定部１５６と、糸８が挿通する孔部１５７と、１対のガイドバー３７が挿通する１対の孔部１５８とが形成されている。
【００７９】
ピン１７０は、基部１７１と、基部１７１の中央部に立設された突起１７２とで構成されている。
【００８０】
このピン１７０は、その基部１７１において、糸支持部１５に対し、回動自在に設置されており、突起１７２（ピン１７０）が起立した起立状態と、突起１７２（ピン１７０）が伏倒した伏倒状態とを採り得るようになっている。そして、ピン１７０は、基部１７１の下面（裏面）がケーシング１１のリブ９２の上面に当接することにより、起立状態に保持されている。なお、ピン１７０は、糸支持部１５の凹部１５０に配置されている。
【００８１】
ストッパー３５は、先端側に隙間が形成された（先端側が開放している）Ｃ字状のストッパー本体３５１と、ストッパー本体３５１を支持する支持部３５２とで構成されており、支持部３５２は、ガイドバー支持部３９に設置（保持）されている。このストッパー３５のストッパー本体３５１には、ピン１７０の突起１７２が挿入されている。これにより、ストッパー３５によって、ピン１７０を介して糸支持部１５が保持（ロック）され、糸支持部１５の移動が阻止される。すなわち、ストッパー３５により、ピン１７０および糸支持部１５が、ケーシング１１に対して先端方向へ移動するのが阻止されている。
【００８２】
また、ストッパー３５のうちの少なくともストッパー本体３５１は、適度な硬さを有し、かつ、弾性変形し得るように構成されている。また、ストッパー本体３５１の先端側の隙間の長さ（間隙距離）は、ピン１７０の突起１７２の外径（直径）より小さく設定されている。
【００８３】
これにより、糸８を介して糸支持部１５（ピン１７０）に加わる力、すなわち、糸８を介して糸支持部１５が先端方向に引っ張られる力（引っ張り力）が、所定のしきい値（予め定めた値）を超えるまでは、糸支持部１５の移動は阻止されるが、前記しきい値を超えると、ピン１７０の突起１７２が、ストッパー本体３５１の隙間から抜けて、糸支持部１５が、ケーシング１１に対して先端方向に移動し得るようになっている。この場合、後述するように、糸支持部１５（糸支持部１５、スライド連結部材３４および第２チャージ部材３３）が先端方向に移動し得るようになることで、コイルバネ２２を収縮状態（変形状態、活性状態）に保持する規制の解除が可能になる。換言すれば、コイルバネ２２を収縮状態に保持する規制の解除は、糸支持部１５に加わる力が所定のしきい値を超えたことを条件に可能となる。
【００８４】
前記しきい値は、１５０〜１５００ｇｆ程度であるのが好ましく、２００〜１０００ｇｆ程度であるのがより好ましい。
【００８５】
これにより、クリップ４のアンカー４１が傷穴およびその周辺組織に確実に当接する前に、血管内等でクリップ４が多少引っ掛かったとしても、ピン１７０がストッパー３５から抜ける（ロックが解除される）前にクリップ４が外れることが期待でき、そのクリップ４を傷穴まで移動させ、アンカー４１を傷穴およびその周辺組織に当接させることができる。また、クリップ４によって傷穴およびその周辺組織が基端方向に過度に引っ張られてしまう前に、ピン１７０がストッパー３５から抜ける（ロックが解除される）ことが期待でき、安全かつ確実に、アンカー４１を傷穴およびその周辺組織に当接させることができる。
【００８６】
糸８は、１本の糸（糸状体）を折り返してその両端部を結び付け、輪にしたもの、すなわち、二重糸（二重糸状体）で構成されている。
【００８７】
この糸８は、クリップ４（クリップ４の糸４６の輪４６２）を挿通して配置装置３の先端部で折り返されてクリップ４を保持した状態で、一方の端部８１が糸支持部１５の糸固定部１５６に引っ掛けられている（取り付けられている）。なお、糸８の端部８１は、糸支持部１５の糸固定部１５６に巻き付けられていてもよく、また、結び付けられていてもよい。また、糸８の他方の端部８２は、糸支持部１５の孔部１５７を挿通し、ピン１７０の突起１７２に引っ掛けられ、そのピン１７０により糸支持部１５に着脱自在に連結されている。
【００８８】
なお、糸８は、本実施形態では、２重であるが、これに限らず、１重または３重以上になっていてもよい。
【００８９】
また、糸８は、輪になっていなくてもよい。具体的には、例えば、糸８の先端側は、クリップ４の糸４６の輪４６２に結び付けられていてもよく、また、糸８の先端側に、糸４６の輪４６２を挿通した輪が形成されていてもよい。また、糸８の基端側に、ピン１７０の突起１７２に引っ掛けられる輪が形成されていてもよい。
【００９０】
第２チャージ部材３３は、外形の全体形状が略四角柱（直方体）の籠状（枠状）をなしている。
【００９１】
この第２チャージ部材３３の先端部には、カバーチューブ６が挿通する孔部３３１が形成されている。
【００９２】
また、第２チャージ部材３３の基端部には、１対のガイドバー３７が挿通する１対の孔部３３３が形成されている。さらに、第２チャージ部材３３の基端部の１対の孔部３３３の間には、固定チューブ７が挿通する孔部３３２が形成されている。
【００９３】
また、第２チャージ部材３３の基端部には、その上部および下部から基端方向に向って突出する１対の突出部３３４が立設されている。各突出部３３４の基端部には、それぞれ、互いに対向し、内側に向って突出する爪３３５が立設されている。この１対の爪３３５は、スライド連結部材３４の基部３４１に係合する。
【００９４】
また、第２チャージ部材３３の先端部の上部および下部には、１対の凹部３３６が形成されている。
【００９５】
第１チャージ部材３２は、基部３２１と、基部３２１の基端部の上部および下部から基端方向に向って突出する１対の棒状体３２２とで構成されている。
【００９６】
各棒状体３２２の基端部３２５には、それぞれ、互いに対向し、内側に向って突出する凸部３２３が立設されている。この１対の凸部３２３は、第２チャージ部材３３の先端部の１対の凹部３３６に係合する。そして、各棒状体３２２の基端部３２５がケーシング１１の対応するリブ９１に当接することにより、両棒状体３２２の基端部３２５の間隔が広がることが阻止され、これにより、各棒状体３２２の凸部３２３が第２チャージ部材３３の各凹部３３６に係合した状態が保持される。
【００９７】
また、図８に示すように、第１チャージ部材３２の基部３２１は、筒状をなしている。すなわち、基部３２１の中央部には、カバーチューブ６が挿通するとともに、保持部材１８が挿入される孔部３２４が形成されている。そして、この孔部３２４内には、１対の爪３２６が設けられている。
【００９８】
また、図１３および図１４に示すように、基部３２１の基端部の外側面（外周面）には、１対の突起３２７、３２８が形成されている。突起３２７と突起３２８とは、互いに、中心角で略１８０°ずれ、軸方向の位置が一致するように配置されている。また、突起３２７は、基部３２１の下部から下方に向かって突出するように形成され、突起３２８は、基部３２１の上部から上方に向かって突出するように形成されている。
【００９９】
カバーチューブ支持部１４には、１対のガイドバー３７が挿通する１対の孔部１４３が形成されており、カバーチューブ６の基端部は、カバーチューブ支持部１４の１対の孔部１４３の間に固定（支持）されている。
【０１００】
また、カバーチューブ６内に挿入されている固定チューブ７の基端部は、スライド連結部材３４の基部３４１に嵌合（固定）されている。
【０１０１】
この固定チューブ７の本体の外径（直径）は、第２チャージ部材３３の基端部の孔部３３２の内径（直径）より小さく設定されている。
【０１０２】
前記第２チャージ部材３３の１対の孔部３３３、カバーチューブ支持部１４の１対の孔部１４３、スライド連結部材３４の１対の孔部３４４および糸支持部１５の１対の孔部１５８には、それぞれ、１対のガイドバー３７が挿通している。さらに、スライド連結部材３４の１対の棒状体３４２は、それぞれ、１対のレール３６の溝３６１に挿入されている。
【０１０３】
これにより、第２チャージ部材３３、カバーチューブ支持部１４および糸支持部１５は、それぞれ、各ガイドバー３７によって、そのガイドバー３７の長手方向（軸方向）に沿って案内される。
【０１０４】
また、スライド連結部材３４は、各ガイドバー３７および各レール３６によって、そのガイドバー３７およびレール３６の長手方向（軸方向）に沿って案内される。
【０１０５】
ここで、図１に示す初期状態（組み立て直後の状態）において、第２チャージ部材３３の先端部の１対の凹部３３６には、第１チャージ部材３２の１対の凸部３２３が係合している。これにより、第１チャージ部材３２と、第２チャージ部材３３とは、一体的に移動する。
【０１０６】
また、初期状態において、糸支持部１５の先端部の１対の突起１５５には、スライド連結部材３４の１対の爪３４３が係合している。これにより、スライド連結部材３４および固定チューブ７と、糸支持部１５とは、一体的に移動する。すなわち、糸支持部１５が固定チューブ７に対して移動（基端方向に移動）するのが阻止されている。但し、厳密には、ストッパー３５やロック部２９により、スライド連結部材３４および糸支持部１５の移動は、阻止されている。
【０１０７】
なお、スライド連結部材３４の１対の棒状体３４２の基端部３４７が対応するレール３６に当接することにより、両棒状体３４２の基端部３４７の間隔が広がることが阻止され、これにより、各棒状体３４２の爪３４３が糸支持部１５の対応する突起１５５に係合した状態が保持される。
【０１０８】
また、初期状態において、第２チャージ部材３３と、スライド連結部材３４とは、所定距離離間している。これにより、第１チャージ部材３２および第２チャージ部材３３と、スライド連結部材３４、固定チューブ７および糸支持部１５とは、別々に移動する。
【０１０９】
そして、後述するように、図１９や図２０に示す使用の際のチャージ状態（各コイルバネ２２が活性状態である収縮状態に保持された状態）においては、第２チャージ部材３３の１対の爪３３５が、スライド連結部材３４の基部３４１に係合するとともに、第２チャージ部材３３の先端部の１対の凹部３３６と、第１チャージ部材３２の１対の凸部３２３との係合が外れる。これにより、第２チャージ部材３３と、スライド連結部材３４と、糸支持部１５と、固定チューブ７とが、一体的に移動するようになる。
【０１１０】
また、クリップ４と、糸支持部１５と、ケーシング１１とを、配置装置３の長手方向に沿って連結する部材のうちに、バネのような配置装置３の長手方向に伸張する部材が含まれていないので、チャージ状態において、糸８を介して糸支持部１５に加わる力が前記所定のしきい値を超えるまでは、クリップ４と、ケーシング１１との間の距離は略一定に保持されている。
【０１１１】
また、１対のコイルバネ２２は、それぞれ、１対のガイドバー３７の外周に配置されている。各コイルバネ２２は、それぞれ、スライド連結部材３４の孔部３４４を挿通し、第２チャージ部材３３の基端部と、糸支持部１５の先端部との間に位置しており、その先端は、第２チャージ部材３３の基端部に当接し、基端は、糸支持部１５の先端部に当接している。なお、初期状態において、各コイルバネ２２は、それぞれ、自然状態または若干、収縮した状態にある。
【０１１２】
レバー２８は、初期状態においては、スライド連結部材３４、固定チューブ７および糸支持部１５と、ケーシング１１との相対的な移動が阻止された状態（ロック状態）と、これらの相対的な移動が可能な状態（ロック解除状態）とを切り換え、また、チャージ状態においては、第２チャージ部材３３、スライド連結部材３４、糸支持部１５、固定チューブ７および１対のコイルバネ２２と、ケーシング１１との相対的な移動が阻止された状態（ロック状態）と、これらの相対的な移動が可能な状態（ロック解除状態）とを切り換える操作を行なうための操作部（操作部材）である。  
【０１１３】
このレバー２８は、ケーシング１１の上カバー１１ａの外側の上面に、図１〜図３に示す矢印ａおよびｂの方向に移動（スライド）可能に設置されている。
【０１１４】
そして、レバー２８の下側には、ロック部２９が接合されており、レバー２８とロック部２９とが一体的に移動するようになっている。このロック部２９は、ケーシング１１の上カバー１１ａの内側に位置している。また、ロック部２９には、下方に向って突出する突出部２９１が立設されている。
【０１１５】
レバー２８が、図１〜図３に示すロック位置に位置しているときは、ロック部２９の突出部２９１がスライド連結部材３４の突起３４６の先端側に当接して、突起３４６が突出部２９１に係止され、これにより、スライド連結部材３４の先端方向への移動が阻止される。すなわち、ロック部２９によりスライド連結部材３４がロックされ、初期状態においては、スライド連結部材３４、固定チューブ７および糸支持部１５の先端方向への移動が阻止され、また、チャージ状態においては、第２チャージ部材３３、スライド連結部材３４、糸支持部１５、固定チューブ７および各コイルバネ２２の先端方向への移動が阻止され、これにより各コイルバネ２２を発動させる動作が禁止される。
【０１１６】
また、レバー２８を矢印ｂの方向に移動させると（ロック解除位置に位置させると）、ロック部２９の突出部２９１がスライド連結部材３４の突起３４６より側方（突起３４６のない位置）に移動（退避）し、突出部２９１への突起３４６の係止が解除される。これにより、前記ストッパー３５による糸支持部１５の移動阻止状態の解除（ロックの解除）を条件に、スライド連結部材３４は、先端方向へ移動可能になる。すなわち、ロック部２９によるスライド連結部材３４のロックが解除され、チャージ状態においては、ストッパー３５による糸支持部１５の移動阻止状態の解除を条件に、第２チャージ部材３３、スライド連結部材３４、糸支持部１５、固定チューブ７および各コイルバネ２２は、先端方向へ移動可能になり、これにより各コイルバネ２２を発動させる動作が可能になる。
【０１１７】
なお、これらレバー２８およびロック部２９により、トリガ手段が１対のコイルバネ（発動部材）２２を発動させる動作を禁止するロック状態と、前記動作を可能にするロック解除状態とを切り換える切換手段が構成される。
【０１１８】
次に、クリップ４について説明する。
図４に示すように、クリップ（閉鎖具）４は、クリップ本体（閉鎖具本体）４０と、固定部である糸（第１の糸状体）４６とを有している。
【０１１９】
クリップ本体４０は、アンカー４１と、変形可能な変形部４２と、アンカー４１と変形部４２とを接続する接続部４４とで構成されている。これらアンカー４１、変形部４２および接続部４４、すなわち、クリップ本体４０は、同一の材料で一体的に形成されているのが好ましい。
【０１２０】
アンカー４１は、生体内組織膜の一方の面（内面）側から傷穴の周辺部（生体内組織膜の傷穴を含む部分）に密着して傷穴および傷穴の周辺部を覆う平面部（平面）４１２を有する部材であり、板状をなしている。
【０１２１】
このアンカー４１における後述する変形部４２が接続された面（図４中上側の面）は、略平面をなしている。また、アンカー４１は、接続部４４が設けられている部位を中心にして遥動し得る（変形部４２に対する角度を変更し得る）ようになっている。また、アンカー４１は、図４中の左右方向の長さが幅Ｗの方向の長さよりも長くなっており、図４中の左右方向がアンカー４１の長軸方向（長手方向）となっている。
【０１２２】
接続部４４は、アンカー４１の長軸方向に対して垂直な方向、すなわち、アンカー４１の幅Ｗの方向に延在する板状をなしており、アンカー４１の略央部の図４中上側の面に設けられている。これにより、アンカー４１は、その幅Ｗの方向と平行な軸の回りにのみ（一方向にのみ）揺動する。
【０１２３】
なお、血管壁と、その血管壁から皮膚に至る穿刺孔とのなす角度は、一定とは限らず、色々な角度の場合があるが、アンカー４１は、その長軸方向が血管の走行方向となるように血管の走行方向に沿って配置されるので、アンカー４１がその幅Ｗの方向と平行な軸の回りに揺動することにより、あらゆる角度（個体差）に対応することができ、アンカー４１により、確実に、傷穴および傷穴の周辺部を覆うことができる。
【０１２４】
変形部４２は、略菱形の枠状体からなるパンタグラフ様形状をなしており、接続部４４を介してアンカー４１の平面部４１２の略中央に連結（接続）されている。
【０１２５】
すなわち、変形部４２は、アンカー４１に対して略垂直な方向に伸び、アンカー４１に対して略平行な方向に縮小した第１の形態と、アンカー４１に対して略垂直な方向に縮み、アンカー４１に対して略平行な方向に拡張した第２の形態との間において変形可能である枠状をなしている。従って、この変形部４２は、図４に示す基本形態（基本形状）（自然状態）から、傷穴を通過可能な形態や、生体内組織膜の他方の面（外面）側からアンカー４１とで生体内組織膜を挟み、傷穴を閉じることが可能な形態等、前記第１の形態と前記第２の形態との間の任意の形態に変形することができる。
【０１２６】
なお、生体内組織膜が、血管壁（生体管腔壁）である場合は、前記一方の面は、血管壁（生体管腔壁）の体表から遠位の面、すなわち、内面であり、前記他方の面は、血管壁（生体管腔壁）の体表から近位の面、すなわち、外面である。
【０１２７】
ここで、本実施形態では、変形部４２は、帯状体を４回屈曲させて四角形の環状をなす形状（帯状体を複数回屈曲させて多角形の環状をなす形状）としたものである。すなわち、変形部４２は、４つのリンクを一体的に形成してなり、ヒンジ状に屈曲可能な４つの角部を有する四角形（四角形の枠状）をなしている。そして、図４中上下方向の対角位置にある２つの角部４２１、４２２のうちの図４中下側（アンカー４１側）の角部４２２が、接続部４４を介してアンカー４１の平面部４１２略中央に連結され、接続部４４の図４中上側の端部に対して移動不可能な不動部となっている。
【０１２８】
これにより、変形部４２は、角部４２１と角部４２２とが接近、離間するように変形する、すなわち直行する２方向へ伸縮変形することができ、かつ、アンカー４１に対し、揺動することもできる。
【０１２９】
また、２つの角部４２１、４２２のうちの図４中上側（アンカー４１と反対側）の角部４２１の上面（アンカー４１と反対側の表面）４２３は、湾曲凸面をなしている。この変形部４２の角部４２１（変形部４２のアンカー４１と反対側の端部）の中央付近には、２つの孔（貫通孔）４２５および４２８が形成され、角部４２２の中央付近には、２つの孔（貫通孔）４２６および４２７が形成されている。
【０１３０】
また、変形部４２における図４中左右方向の対角位置にある２つの角部よりも上側の部分は、その両側部がそれぞれ細長く切り欠かれており、これにより４つの段差部４２９が形成されている。各段差部４２９には、カバーチューブ６の開口部６１に変形部４２が押し込まれる際、カバーチューブ６の先端が当接する。これにより、変形部４２のカバーチューブ６の開口部６１への挿入量が規制される。これによって、クリップ４を折り畳んだとき、アンカー４１をより大きく傾斜させる（寝かせる）ことができ、クリップ４をよりコンパクトにすることができる。  
【０１３１】
また、接続部４４は、板状をなしており、その中央付近には、孔（貫通孔）４４１が形成されている。この接続部４４により、アンカー４１と変形部４２の角部４２２とを所定距離離間させることができる。
【０１３２】
糸４６は、変形部４２のアンカー４１と反対側の端部側と、変形部４２のアンカー４１側の端部側とに掛けられ、クリップ本体４０に取り付けられている。本実施形態では、糸４６は、変形部４２の角部４２１（変形部４２のアンカー４１と反対側の端部）および接続部４４を貫通した状態で、変形部４２の角部４２１と接続部４４とに掛けられている。すなわち、この糸４６は、図４中上側から、順次、変形部４２の角部４２１の孔４２５を挿通（貫通）し、角部４２２の孔４２６を挿入し、接続部４４の孔４４１を挿通し、角部４２２の孔４２７を挿通し、角部４２１の孔４２８を挿通し、その角部４２１側（変形部４２の外側）で、図５または図６に示すような形状の結び目４６１を形成している。このような結び目は、クリンチ・ノット（Clinch Knot）と呼ばれる。また、結び目４６１の図４中上側には、糸８が挿通する輪４６２が形成されている。
【０１３３】
結び目４６１は、先端方向、すなわち、図４中下方に移動可能な結び方になっており、この結び目４６１を、糸４６上を先端方向に移動させて糸４６を締め付けることにより、変形部４２が前記第１の形態と前記第２の形態との間の所定の形態に変形し、その状態を保持することができる。糸４６が、変形部４２が前記所定の形態になった状態を保持しているとき、その結び目４６１は、変形部４２のアンカー４１と反対側の端部、すなわち、角部４２１に位置する。結び目４６１は、糸４６上を強く締め付けているため、強い力が加えられない限り自然に基端方向に移動することはない。
【０１３４】
前記結び目４６１は、固定チューブ７の内径よりも大きく形成され、また、前記輪４６２は、固定チューブ７の内径よりも小さく形成されている。これにより、固定チューブ７によって、クリップ４の糸４６の結び目４６１を移動させ、糸４６を締め付けて変形部４２を変形させる際、輪４６２は、固定チューブ７の管腔内に入ることができ、また、結び目４６１が固定チューブ７の管腔内に入ってしまうことを防止することができ、確実に、結び目４６１を移動させることができる。このようにして、糸４６は変形部４２の固定部として機能する。
【０１３５】
前述したように、糸８は、糸４６の輪４６２を挿通した状態で、固定チューブ７の管腔内を挿通する。
【０１３６】
なお、前記糸４６がこの糸８を兼用していてもよい。この場合、糸４６で変形部４２を固定した後、その糸４６を結び目４６１より基端側で、はさみ等で切断すればよい。
【０１３７】
また、前記糸４６は、１本の糸（糸状体）を折り返してなり、一方の端部が折り返し部となる二重糸（二重糸状体）で構成され、その折り返し部により、輪４６２が形成されていてもよい。
【０１３８】
前記クリップ４のクリップ本体４０の少なくとも一部は、生体吸収性材料で構成されるのが好ましく、特に、クリップ本体４０の主要部分（大部分）は、生体吸収性材料で全体を一体的に構成されるのが好ましい。これにより、クリップ本体４０の主要部分が所定期間後に生体に吸収され、最終的に生体内に残らないので、人体への影響をなくすことができる。また、糸４６も生体吸収性材料で構成されるのが好ましい。
【０１３９】
用いられる生体吸収性材料としては、例えば、ポリ乳酸、ポリグリコール酸、ポリジオキサノン等の単体、あるいはこれらの複合体が挙げられる。
【０１４０】
なお、クリップ４のクリップ本体４０の構成材料としては、生体吸収性材料に限らず、例えば、樹脂や金属等の生体適合性材料を用いることができる。また、糸４６の構成材料も生体吸収性材料には限定されない。
【０１４１】
また、前記クリップ４のクリップ本体４０として、特に、変形部４２の変形機能に求められる材料物性としては、ヒンジ特性に優れたものであることが望ましい。具体的には、引張り強さ２５０〜５００（Ｋｇ／ｃｍ２）、伸び１５０〜８００％、引張弾性率８〜２０（×１０３Ｋｇ／ｃｍ２）、曲げ強さ３００〜７００（Ｋｇ／ｃｍ２）のものが好ましい。これらの物性値を満たすことによって、クリップ本体４０は、ヒンジ特性に優れ、変形部４２が所望の変形能を有することができる。
【０１４２】
図１２に示すように、クリップ４の変形部４２がカバーチューブ６の先端部から離脱し、その変形部４２が変形可能な状態で、糸８によりクリップ４の糸４６が基端方向へ牽引されると、固定チューブ７の先端部７１にクリップ４の糸４６の結び目４６１が係止され、さらに、この結び目４６１を介して変形部４２が係止され（間接的に係止され）、これにより結び目４６１が先端方向に移動して、糸４６が締め付けられ、変形部４２が変形する。
【０１４３】
この場合、クリップ４がカバーチューブ６の開口部６１に保持されているときは、クリップ４の変形部４２は、図１２（ａ）に示すように、アンカー４１に対して略垂直な方向（カバーチューブ６の長手方向（軸方向））に伸び、アンカー４１に対して略平行な方向（カバーチューブ６の径方向）に縮小した形態をなしている。そして、結び目４６１が先端方向に移動して糸４６が締め付けられるにつれて、変形部４２の角部４２１が図１２中下側に移動してゆき、その変形部４２は、図１２（ａ）に示す形態から、図１２（ｂ）に示す形態、図１２（ｃ）および（ｄ）に示す、アンカー４１と変形部４２で生体内組織膜を挟み、傷穴を閉じることが可能な形態へと、連続的に変形する。すなわち、変形部４２は、アンカー４１に対して略垂直な方向（カバーチューブ６の長手方向）に縮み、アンカー４１に対して略平行な方向（カバーチューブ６の径方向）に拡張してゆく。
【０１４４】
また、前述したように、結び目４６１は、強い力が加えられた場合にのみ先端方向へ移動可能な結び方になっているので、糸４６により、変形部４２が所定の形態になった状態が保持される。
【０１４５】
このように、このクリップ４によれば、変形部４２の変形の度合いを連続的に規制（調整）することができる（２つの角部４２１、４２２の間の距離を連続的に規制（調整）することができる）。すなわち、変形部４２が所望の形態になった状態で、その状態を保持することができる。これにより、例えば、血管壁のような生体内組織膜が厚い人、薄い人、硬い人、軟らかい人等、種々の場合に対応することができる（様々な生体内組織膜の状態（状況）に対応することができる。
【０１４６】
なお、本発明では、クリップ（閉鎖具）の構成は、アンカーおよび変形部を有しているものであれば、前記のものに限定されないことは言うまでもない。
【０１４７】
例えば、本発明では、クリップの変形部の形状は、四角形に限らず、他の多角形でもよく、また、円環状、楕円環等の角のない枠状であってもよい。
【０１４８】
また、クリップの変形部は、例えば、コラーゲン等の生分解性樹脂材料（合成樹脂材料）を主材料とするスポンジ状の多孔質体（多孔質材料）や繊維の集合体等で構成することができる。
また、クリップの固定部は、糸状体には限定されない。
【０１４９】
次に、保持部材１８について説明する。
図９〜図１１に示すように、保持部材１８は、全体として略筒状をなしており、基端側に配置される基端側部材１８ａおよび先端側に配置される先端側部材１８ｂで構成されている。
【０１５０】
基端側部材１８ａと先端側部材１８ｂとは、先端側部材１８ｂが基端側部材１８ａの内側（内周側）に嵌合し、一体化している。また、先端側部材１８ｂの外周部には、１対の凸部１８１が形成され、基端側部材１８ａの各凸部１８１に対応する部位には、それぞれ、側孔１８２が形成されている。これにより、基端側部材１８ａと先端側部材１８ｂとを嵌合すると、先端側部材１８ｂの各凸部１８１がそれぞれ基端側部材１８ａの対応する側孔１８２に臨む縁部に係合し、基端側部材１８ａと先端側部材１８ｂとが互いに固定される。なお、図９および図１１では、各凸部１８１および各側孔１８２は、それぞれ、一方のみが見えている。以下、基端側部材１８ａと先端側部材１８ｂとを個別にではなく、それらを一体化した状態の保持部材１８を説明する。
【０１５１】
保持部材１８の先端側の内周部には、シース５のハブ（コネクタ）５２の溝５４に挿入し、その溝５４内の面に係合し得る１対のリブ（凸条）１８３が形成されている。各リブ１８３は、それぞれ、周方向に沿って形成されている。これら各リブ１８３および溝５４により、保持部材１８とシース５のハブ５２とが接続され（連結し）、その状態が保持される。従って、各リブ１８３および溝５４により、保持部材１８とシース５のハブ５２とを接続する第１の接続部が構成される。
【０１５２】
また、保持部材１８の基端側の外周部には、第１チャージ部材３２の基部３２１の１対の爪３２６が挿入される溝１８４が形成されており、その溝１８４内の面に各爪３２６が係合し得るようになっている。この溝１８４は、周方向に沿って１周に亘って形成されている。これら溝１８４および各爪３２６により、保持部材１８と手元部９とが接続され（連結し）、その状態が保持される。従って、溝１８４および各爪３２６により、保持部材１８と手元部９とを接続する第２の接続部が構成される。
【０１５３】
この保持部材１８は、比較的広い空間（内腔）（広空間）が形成されている広空間部１９１と、広空間部１９１よりも先端側に設けられ、広空間部１９１よりも狭い空間（狭空間）が形成されている狭空間部１９２と、広空間部１９１と狭空間部１９２との間に設けられ、前記広空間と前記狭空間とに連通する空間が形成されている移行部１９３とを有する収納部１９０備えている。なお、空間の横断面（軸線に対して垂直な断面）における面積の大小を、空間の広狭（大小）としている。
【０１５４】
広空間部１９１は、最も広い空間を有し、先端側に設けられた最広空間部１９１１と、それよりも基端側に設けられた基端側空間部１９１２とで構成されている。
【０１５５】
初期状態（組み立て直後の状態）において、クリップ４は、収納部１９０（本実施形態では、広空間部１９１および移行部１９３）に収納（保持）されている。この場合、クリップ４の変形部４２は、その大部分が、広空間部１９１の基端側空間部１９１２に収納され、残部が、最広空間部１９１１に収納されている。そして、アンカー４１は、移行部１９３および広空間部１９１の最広空間部１９１１に収納されている。
【０１５６】
基端側空間部１９１２の横断面での内形形状（空間の形状）は、略四角形をなし、その各頂点は、丸みを帯びている。また、その四角形の所定の１対の辺は、図１１の紙面に対して垂直な方向を向き、他の１対の辺は、図１１中上下方向を向いている。これにより、クリップ４は、アンカー４１の図４に示す幅Ｗの方向が図１１の紙面に対して垂直な方向となるような姿勢で収納されている。
【０１５７】
また、初期状態において、図示の構成では、クリップ４は、問題がない程度に、基端側空間部１９１２からその変形部４２に僅かな負荷がかかっていてもよく、この場合、変形部４２が自然状態に対しカバーチューブ６の径方向に潰す負荷が僅かにかかった状態（カバーチューブ６の長手方向に伸ばすように僅かに折り畳まれた状態）で、収納されている。
【０１５８】
生体内組織閉鎖装置１を組み立てる際は、クリップ４を収納部１９０の所定の位置に収納した後、基端側部材１８ａと先端側部材１８ｂとを嵌合し、一体化する。これにより、クリップ４の変形部４２に問題となるような大きさの負荷をかけることなく、クリップ４を収納部１９０に収納することができる。
【０１５９】
なお、クリップ４は、その変形部４２に全く負荷がかからず、変形部４２が全く変形しないように収納されていてもよい。また、クリップ４は、広空間部１９１のみに収納されていてもよい。
【０１６０】
また、初期状態において、カバーチューブ６および固定チューブ７は、保持部材１８の内腔に、保持部材１８の基端から挿入されている。この場合、カバーチューブ６の開口部６１は、広空間部１９１に位置し、固定チューブ７の先端部７１は、保持部材１８の広空間部１９１よりも基端側の部位に位置している。比較的硬い固定チューブ７が保持部材１８の内腔に位置しているので、これにより、カバーチューブ６の折れ曲がり（キンク）を防止することができる。
【０１６１】
また、保持部材１８の広空間部１９１より基端側の部位（基端部１８６）の横断面での内形形状（内腔の形状）は、潰れた状態の変形部４２を保持するのに適した形状（例えば、略楕円状）をなしている。一方、前述したように、固定チューブ７の先端部７１の横断面での形状と、カバーチューブ６の固定チューブ７の先端部７１に対応する部位の横断面での形状は、それぞれ、略楕円形をなしているので、保持部材１８に対するカバーチューブ６および固定チューブ７の回転を防止することができる。なお、前記楕円の向きは、保持部材１８が基端側に移動する際、カバーチューブ６の開口部６１にクリップ４の変形部４２が挿入されるように設定されている。
【０１６２】
また、横断面における寸法は、保持部材１８の基端部１８６の内腔よりも、カバーチューブ６の開口部６１の方が大きく設定されている。これにより、保持部材１８がカバーチューブ６の先端部から離脱してしまうのを防止することができる。
【０１６３】
また、保持部材１８の最基端部１８７の内径は、先端側から基端側に向かって漸増している。また、その部位の表面は、丸みを帯びている。これにより、保持部材１８を基端側に移動させる際、カバーチューブ６が座屈してしまうのを防止することができる。
【０１６４】
また、保持部材１８の基端部１８６と最基端部１８７との境界部の内径は、その保持部材１８とカバーチューブ６との間の隙間から血液が漏れないか、または、その漏れ量が非常に少なくなるように設定するのが好ましい。すなわち、保持部材１８の基端部１８６と最基端部１８７との境界部の内径は、カバーチューブ６の外径よりも若干小さく設定するのが好ましい。なお、前記境界部の内面にパッキン（弾性部材）を設置することにより、血液漏れをより確実に防止することができ、この場合は、前記境界部の内径をカバーチューブ６の外径よりも大きくしても血液漏れを防止することができる。
【０１６５】
また、保持部材１８は、その保持部材１８が基端側に移動する際、クリップ４が、移行部１９３を経て、狭空間部１９２に挿入されるよう構成されている。
【０１６６】
移行部１９３は、図１１中下側に傾斜面１９４を有している。この傾斜面１９４は、先端側よりも基端側が図１１中下側に位置するように傾斜している（先端側から基端側に向かって傾斜している）。
【０１６７】
保持部材１８が基端側に移動する際は、クリップ４は、この傾斜面１９４に沿って徐々に折り畳まれる。すなわち、クリップ４のアンカー４１は、傾斜面１９４に沿って徐々に傾斜する。
【０１６８】
一方、移行部１９３の図１１中上側の面は、傾斜してない。これにより、クリップ４を、円滑に折り畳むことができる。
【０１６９】
また、クリップ４が狭空間部１９２に挿入されると、その変形部４２にかかる負荷が増大し、変形部４２は、初期状態のときよりも圧縮され、図４に示す基本形態のときのクリップ４のアンカー４１に対して略垂直な方向（カバーチューブ６の長手方向）に伸び、そのアンカー４１に対して略平行な方向（カバーチューブ６の径方向）に縮小した形態（図１２（ａ）参照）となる。これにより、クリップ４は、完全に折り畳まれ、この折り畳まれた状態（変形部４２が圧縮された状態）で、変形部４２が、カバーチューブ６の開口部６１に押し込まれ、保持される（開口部６１および変形部４２について図２０参照）。
【０１７０】
また、保持部材１８は、内腔が狭空間部１９２の空間に連通する管状部１８５を有している。管状部１８５は、保持部材１８の先端部の中央部に、先端側に向かって突出形成されている。シース５のハブ５２と保持部材１８とを接続する際は、この管状部１８５がハブ５２の止血弁からそのハブ５２内に挿入され、管状部１８５の内腔を介して、狭空間部１９２の空間とシース５の貫通孔５１とが連通する。
【０１７１】
また、管状部１８５の狭空間部１９２よりも先端側の部位の横断面での内形形状（内腔の形状）は、略四角形をなしており、保持部材１８を基端側に移動させたとき、クリップ４のアンカー４１（図４に示す幅Ｗの方向）が、その四角形の一方の対角線と略一致するようになっている。これにより、クリップ４が管状部１８５の内腔を通過する際、アンカー４１の回転を防止することができる。
【０１７２】
また、管状部１８５は、クリップ４が管状部１８５の内腔を通過するときの抵抗（摩擦抵抗）が、クリップ４が狭空間部１９２を通過するときの抵抗よりも大きくなるよう構成されている。具体的には、管状部１８５（先端側部材１８ｂ）は、前記四角形の対角線の長さが、アンカー４１の幅Ｗよりも小さく設定され、かつ、柔軟性を有し、変形し得るようになっている。これにより、アンカー４１が管状部１８５の内腔を通過する際、適度な抵抗（摩擦抵抗）が発現し、これによって、確実に、クリップ４の変形部４２が、カバーチューブ６の開口部６１に押し込まれ、保持される。また、適度な抵抗であるので、アンカー４１が管状部１８５の内腔を通過するのを阻害することもない。
【０１７３】
そして、保持部材１８が基端側に移動する際、カバーチューブ６の開口部６１に変形部４２が保持されたクリップ４は、管状部１８５の内腔を通過し、保持部材１８から排出され、シース５の貫通孔５１に挿入される。この場合、クリップ４は、ハブ５２の止血弁に接触することなく、シース５の貫通孔５１に挿入されるので、確実に、正常な状態で、シース５の貫通孔５１に挿入される。このようにして、クリップ４が保持部材１８の収納部１９０に収納された状態から、クリップ４の変形部４２がカバーチューブ６の開口部６１に保持された状態になる。
【０１７４】
なお、保持部材１８の構成材料としては、特に限定されないが、例えば、樹脂や金属等を用いることができる。また、内部の視認性を確保するために、光透過性を有する（実質的に透明または半透明である）ものが好ましい。また、管状部１８５は、変形し得るように、比較的柔軟な樹脂材料等を用いるのが好ましい。
【０１７５】
次に、生体内組織閉鎖装置１を用いて行なう止血作業の手順および生体内組織閉鎖装置１の作用について説明する。
【０１７６】
カテーテルを用いた治療（ＰＣＩ）や診断（ＣＡＧ）の処置後は、シース５が留置されており、このシース５を用いる。シース５の先端部は、傷穴を貫通し、血管内に挿入されている。
【０１７７】
図１〜図３に示すように、初期状態においては、レバー２８は、ロック位置に位置し、ロック部２９の突出部２９１がスライド連結部材３４の突起３４６の先端側に当接して、突起３４６が突出部２９１に係止され、これにより、スライド連結部材３４の先端方向への移動が阻止されている。
【０１７８】
まず、術者（使用者）は、シース５のハブ５２に、配置装置３の保持部材１８を接続する。この場合、保持部材１８の管状部１８５をハブ５２の止血弁からそのハブ５２内に挿入し、ハブ５２を保持部材１８の先端部の内側に押し込む。これにより、保持部材１８の各リブ１８３がハブ５２の溝５４に挿入され、その溝５４内の面に係合する。これによって、保持部材１８とシース５のハブ５２とが接続され（連結し）、その状態が保持される。
【０１７９】
次に、シース５および保持部材１８をカバーチューブ６に沿って基端側に移動させる。
これにより、クリップ４は、カバーチューブ６の開口部６１の先端に当接し、その開口部６１により、係止される（先端側に押される）。これによって、クリップ４のアンカー４１は、傾斜面１９４に沿って徐々に傾斜する（図１１参照）。
【０１８０】
そして、クリップ４が狭空間部１９２に挿入されると、変形部４２にかかるカバーチューブ６の径方向の負荷が増大し、変形部４２は、初期状態のときよりもカバーチューブ６の径方向に圧縮され、図４に示す基本形態のときのクリップ４のアンカー４１に対して略垂直な方向に伸び、そのアンカー４１に対して略平行な方向に縮小した形態となる。これにより、クリップ４は、完全に折り畳まれる。
【０１８１】
また、アンカー４１が管状部１８５の内腔を通過する際、適度な抵抗が発現し、これによって、クリップ４の変形部４２が、カバーチューブ６の開口部６１に押し込まれ、保持される。
【０１８２】
そして、カバーチューブ６の開口部６１に変形部４２が保持されたクリップ４は、管状部１８５の内腔を通過し、保持部材１８から排出され、シース５の貫通孔５１に挿入される。このようにして、クリップ４が保持部材１８の収納部１９０に収納された状態から、クリップ４の変形部４２がカバーチューブ６の開口部６１に保持された状態になる。
【０１８３】
さらに、シース５および保持部材１８をカバーチューブ６に沿って基端側に移動させ、第１チャージ部材３２の基部３２１に、保持部材１８を接続する。この場合、保持部材１８の基端部を基部３２１の内側に押し込む。これにより、基部３２１の各爪３２６が保持部材１８の溝１８４に挿入され、その溝１８４内の面に係合する。これによって、基部３２１と保持部材１８（手元部９）とが接続され（連結し）、その状態が保持される。すなわち、基部３２１とハブ５２とが保持部材１８を介して接続される（基部３２１と保持部材１８とハブ５２とが一体化する）。
【０１８４】
次に、図１３、図１４および図１９に示すように、コネクタ３１のピン３１３が、ケーシング１１の溝１１２における第１の部位１１２１の第２の部位１１２２と反対側の端部に位置している状態で、シース５、保持部材１８および第１チャージ部材３２を基端方向に押し込み（移動させ）、第１チャージ部材３２の基部３２１の基端部をコネクタ３１内に挿入し、側面視で基部３２１の突起３２７がコネクタ３１のリブ３１１の先端部より基端側に位置し、かつ、基部３２１の突起３２８がコネクタ３１のリブ３１２に当接するかまたはそのリブ３１２の直前に位置している状態とする。
【０１８５】
この際、第１チャージ部材３２とともに第２チャージ部材３３が基端方向に移動し、これにより、コイルバネ２２が、この第２チャージ部材３３と糸支持部１５とで挟まれて収縮（変形、活性化、チャージ）されてゆく。そして、第２チャージ部材３３の１対の爪３３５が、スライド連結部材３４の基部３４１に係合し、この後、第１チャージ部材３２の１対の棒状体３２２の基端部３２５が、ケーシング１１の１対のリブ９１の基端部よりも基端側に移動し、この両棒状体３２２の基端部３２５の間隔が広がり、第２チャージ部材３３の先端部の１対の凹部３３６と、第１チャージ部材３２の１対の凸部３２３との係合が外れる（図３、図１９参照）。
【０１８６】
これにより、第２チャージ部材３３は、スライド連結部材３４および糸支持部１５に対して移動不能となり、コイルバネ２２が、収縮状態（変形状態、活性状態）に保持される。すなわち、第２チャージ部材３３とスライド連結部材３４と糸支持部１５と固定チューブ７とコイルバネ２２との位置関係が固定され、これらが一体的に移動し得るようになる。この状態をチャージ状態という。
【０１８７】
この状態では、クリップ４（クリップ４のアンカー４１）は、シース５の貫通孔（ルーメン）５１内に収納されている。このため、前記第１チャージ部材３２の基部３２１をコネクタ３１内に挿入してチャージ状態にする際に、クリップ４により、血管壁を傷付けてしまうことはなく、非常に安全である。
【０１８８】
次に、図１６、図１７および図２０に示すように、コネクタ３１をケーシング１１に対して所定方向（図示例では、先端方向から見て反時計回り）に回転させる。これによって、コネクタ３１のリブ３１１により突起３２７が基端方向に押され、第１チャージ部材３２が基端方向に徐々に移動し、シース５の先端部からクリップ４のアンカー４１およびカバーチューブ６が徐々に突出する。この際、コネクタ３１は、そのピン３１３がケーシング１１の溝１１２の第１の部位１１２１に沿って移動することで、軸方向への移動が阻止され、周方向へのみ円滑に回転する。なお、術者は、ピン３１３が、第１の部位１１２１の第２の部位１１２２側の端部、すなわち、第１の部位１１２１と第２の部位１１２２との境界部まで移動し、コネクタ３１が回転しなくなるまで、そのコネクタ３１を回転させる。
【０１８９】
このようにして、シース５の先端部からカバーチューブ６の開口部６１が突出するとともに、クリップ４のアンカー４１が突出し、血管内に挿入されるとともに、第１チャージ部材３２の基部３２１は、基端方向に移動し、さらにコネクタ３１内に挿入される。また、リブ３１１の基端面に突起３２７の先端面が係止されるとともに、リブ３１２の先端面に突起３２８の基端面が係止され、これにより、第１チャージ部材３２の基部３２１がコネクタ３１に固定（連結）される。すなわち、保持部材１８および第１チャージ部材３２の基部３２１を介してシース５のハブ５２が、コネクタ３１に固定（連結）される。また、コネクタ３１のピン３１３は、溝１１２の第１の部位１１２１と第２の部位１１２２との境界部に位置するので、コネクタ３１は、ケーシング１１（クリップ４）に対して先端方向へ移動することが可能となる。なお、第１チャージ部材３２と第２チャージ部材３３との係合は既に外れているので、第２チャージ部材３３は、移動しない。
【０１９０】
このように、前記コネクタ３１を回転操作する前の状態では、クリップ４は、シース５の貫通孔５１内に収納されており、また、その状態からコネクタ３１を回転操作することで、第１チャージ部材３２の基部３２１が、基端方向に徐々に移動するので、クリップ４のアンカー４１が、シース５の先端から血管壁に向って急激に突出してしまうのを確実に防止することができる。
【０１９１】
次に、図１８に示すように、コネクタ３１をケーシング１１（クリップ４）に対して先端方向に移動させ、シース５の先端をクリップ４のアンカー４１に当接させて、そのアンカー４１の姿勢を調整する。
【０１９２】
すなわち、術者は、ピン３１３が第２の部位１１２２の先端部まで移動し、コネクタ３１がケーシング１１に対して先端方向に移動しなくなるまで、そのコネクタ３１をケーシング１１に対して先端方向に移動させる。
【０１９３】
これにより、図２１（ａ）から（ｂ）に示すように、コネクタ３１、第１チャージ部材３２、保持部材１８およびシース５が、一体的に、ケーシング１１に対して先端方向に移動する。この際、図１８に示すように、コネクタ３１は、そのピン３１３がケーシング１１の溝１１２の第２の部位１１２２に沿って移動することで、周方向への回転が阻止され、先端方向へのみ円滑に移動する。そして、図２１（ｂ）に示すように、シース５の先端が、カバーチューブ６の先端を越えてクリップ４のアンカー４１に当接し、そのアンカー４１の姿勢が適正な姿勢、すなわち、アンカー４１（平面部４１２）がシース５（カバーチューブ６）の軸に対して略垂直となる姿勢に調整される。
【０１９４】
ここで、クリップ４は、前述したように、カバーチューブ６や糸８により、そのカバーチューブ６の開口部６１に保持されており、クリップ４のケーシング１１に対する位置は変化しないので、シース５がケーシング１１に対して先端方向に移動すると、図２１（ｂ）に示すように、シース５内にクリップ４の変形部４２および接続部４４が挿入され、そのシース５の先端が、アンカー４１を先端方向に押圧しつつ、アンカー４１に当接する。この際、アンカー４１がシース５の軸方向に傾いている場合は、アンカー４１は、変形部４２に対して接続部４４が設けられている部位を中心にして遥動し、シース５の軸に対して略垂直となるように矯正される。これにより、後述するクリップ４のアンカー４１の位置決めの際、アンカー４１が傷穴を通り抜けてしまうことを防止することができ、アンカー４１を傷穴および傷穴の周辺部に確実に当接させることができる。
【０１９５】
前記クリップ４のアンカー４１の姿勢が適正な姿勢になった後、コネクタ３１をケーシング１１に対して基端方向に移動させ、図１６に示す元の位置に戻す。これにより、図２１（ｂ）から（ｃ）に示すように、コネクタ３１、第１チャージ部材３２、保持部材１８およびシース５が、一体的に基端方向に移動し、シース５の先端がアンカー４１から離間し、シース５とクリップとの位置関係が元に戻る。
【０１９６】
なお、前記コネクタ３１を先端方向へ移動させる操作（押し引きする操作）は、１回のみ行ってもよく、また、複数回行ってもよい。
【０１９７】
次に、手元部９のケーシング１１を手指で把持し、その手元部９、すなわち、本体部２（配置装置３）をゆっくりと、一方向、すなわち、傷穴から引き抜く方向（基端方向）に移動させ、クリップ４のアンカー４１で血管壁の内側から傷穴および傷穴の周辺部（周辺組織）を覆う（アンカー４１の位置決めを行なう）（図２２参照）。クリップ４の変形部４２は、血管の外側に移動する。
【０１９８】
術者は、前記アンカー４１で傷穴および傷穴の周辺部を覆う際の作業（操作）においては、本体部２を傷穴から引き抜く方向に移動させた際、アンカー４１が傷穴およびその周辺組織に当接したときの抵抗（面当て抵抗）を感知すると、アンカー４１が傷穴およびその周辺組織に当接し（面当てされ）、アンカー４１の位置決めが完了したものと判断する。
【０１９９】
この場合、クリップ４と、糸支持部１５と、ケーシング１１とを、配置装置３の長手方向に沿って連結する部材のうちに、バネのような配置装置３の長手方向に伸張する部材が含まれておらず、クリップ４と、ケーシング１１との間の距離は略一定に保持されているので、術者は、クリップ４のアンカー４１にかかる力を直接的に手指で感知することでき、これにより、クリップ４のアンカー４１が傷穴およびその周辺組織に当接したときの抵抗を正確に感知することができる。
【０２００】
また、ロック部２９により、第２チャージ部材３３、スライド連結部材３４、糸支持部１５、固定チューブ７および各コイルバネ２２の先端方向への移動が阻止されているので、前記アンカー４１の位置決めが完了する前に各コイルバネ２２が発動してしまうのを確実に防止することができる。
【０２０１】
これにより、容易かつ確実に、クリップ４のアンカー４１の位置決めを行なうことができる。
【０２０２】
次に、図２２に示すように、レバー２８を矢印ｂの方向に移動させ、ロック解除位置に位置させる。これにより、ロック部２９が矢印ｂの方向に移動し、その突出部２９１が、スライド連結部材３４の突起３４６より側方（突起３４６のない位置）に移動（退避）し、突出部２９１への突起３４６の係止が解除される。これによって、ストッパー３５による糸支持部１５の移動阻止状態の解除を条件に、第２チャージ部材３３、スライド連結部材３４、糸支持部１５、固定チューブ７および各コイルバネ２２は、先端方向へ移動可能になる。
【０２０３】
次に、本体部２（配置装置３）をゆっくりと、傷穴から引き抜く方向（基端方向）に移動させて、本体部２を傷穴から引き抜く。これにより、すべての各操作（動作）が順次、連続して行われ、クリップ４により傷穴が閉じられて、そのクリップ４が生体内に配置（留置）される。以下、この際の手順や作用を詳細に説明する。
【０２０４】
まず、図２３に示すように、手元部９（ケーシング１１）を基端方向に移動させると、クリップ４のアンカー４１が血管壁の内面（体表から遠位の面）に当接しているので、糸支持部１５は、糸８を介して先端方向に引っ張られる。そして、この糸８を介して糸支持部１５に加わる力（引っ張り力）が、所定のしきい値を超えると、ピン１７０の突起１７２が、ストッパー３５のストッパー本体３５１の隙間から抜け、第２チャージ部材３３、スライド連結部材３４、糸支持部１５、固定チューブ７および各コイルバネ２２が、一体的に、ケーシング１１に対して先端方向に移動する。
【０２０５】
ここで、仮に、前記ロック部２９によりスライド連結部材３４の先端方向への移動が阻止された状態でのアンカー４１の位置決めにおいて、例えば、血管内でクリップ４が引っ掛かったりして、その位置決めが不完全だったとしても、ピン１７０がストッパー３５から抜ける（ロックが解除される）前にクリップ４が外れることが期待でき、そのクリップ４を傷穴まで移動させ、アンカー４１を傷穴およびその周辺組織に当接させることができる。このように、クリップ４のアンカー４１の位置決め操作が２重に行なわれるので、アンカー４１を傷穴およびその周辺組織に確実に当接させることができる。
【０２０６】
前記第２チャージ部材３３、スライド連結部材３４、糸支持部１５、固定チューブ７および各コイルバネ２２が、ケーシング１１に対して先端方向に移動すると、固定チューブ７と共に、クリップの変形部４２がカバーチューブ６に対して先端方向へ移動し、カバーチューブ６の先端部から変形部４２が離脱し、変形部４２が変形可能になる。
【０２０７】
そして、図２４に示すように、スライド連結部材３４の１対の棒状体３４２の基端部３４７が、１対のレール３６の先端部よりも先端側に移動すると、各棒状体３４２の基端部３４７は、それぞれ、側方（矢印Ｅ、Ｆの方向）に移動（変位）することが可能になる。一方、スライド連結部材３４は、各コイルバネ２２の復元力により、糸支持部１５に対して先端方向に付勢されているので、各棒状体３４２の基端部３４７は、その付勢力により、各突起１５５に沿って略側方に移動し、各棒状体３４２の爪３４３が、糸支持部１５の各突起１５５から外れる。
【０２０８】
これにより、スライド連結部材３４による糸支持部１５と第２チャージ部材３３との連結が解除され、糸支持部１５が、第２チャージ部材３３、スライド連結部材３４および固定チューブ７に対して基端方向に移動するのが可能となる。また、前記スライド連結部材３４による糸支持部１５と第２チャージ部材３３との連結を解除することにより、糸支持部１５と、第２チャージ部材３３、スライド連結部材３４および固定チューブ７との相対的な移動を可能とすることで、各コイルバネ２２を変形状態（活性状態）に保持する規制が解除される。
【０２０９】
これにより、糸支持部１５は、各コイルバネ２２の復元力によって、第２チャージ部材３３、スライド連結部材３４および固定チューブ７に対して、基端方向に移動する。このように、スライド連結部材３４、糸支持部１５の１対の突起１５５、第２チャージ部材３３の１対の突出部３３４および１対のレール３６は、各コイルバネ２２を活性状態に保持する規制を解除することによって各コイルバネ２２を発動させるトリガ手段として機能する。また、スライド連結部材３４、糸支持部１５の１対の突起１５５および第２チャージ部材３３の１対の突出部３３４は、各コイルバネ２２を活性状態に保持する規制手段として機能する。また、糸支持部１５と第２チャージ部材３３とを連結しているスライド連結部材３４の各棒状体３４２の基端部３４７を側方（各棒状体３４２の爪３４３が糸支持部１５の各突起１５５から外れる方向）へ移動させる動作（トリガ動作）は、術者が手元部９を基端側に引き抜く（移動させる）動作および各コイルバネ２２の付勢力によって自動的に行なわれる。
【０２１０】
前記糸支持部１５が固定チューブ７に対して基端方向に移動すると、図２４に示すように、糸８が基端方向へ移動し、その糸８によりクリップ４の糸４６が基端方向へ牽引され、固定チューブ７の先端部７１にクリップ４の糸４６の結び目４６１が係止され、さらに、この結び目４６１を介して変形部４２が係止され（間接的に係止され）、これにより結び目４６１が先端方向に移動して、糸４６が締め付けられ、変形部４２が変形する。
【０２１１】
これにより、変形部４２が血管壁の外側から傷穴および傷穴の周辺部を覆い、アンカー４１が血管壁の内側から傷穴および傷穴の周辺部を覆い、これらアンカー４１と変形部４２とで血管壁が挟み込まれ、傷穴が閉じる。そして、糸４６により、変形部４２が前記の形態になった状態が保持（固定）される。
【０２１２】
また、前記スライド連結部材３４による糸支持部１５と第２チャージ部材３３との連結が解除（各コイルバネ２２を変形状態に保持する規制が解除）された後、すなわち、クリップ４の変形部４２の変形が完了した後、図２５に示すように、クリップ４のアンカー４１が血管壁の内面に当接した状態で、手元部９（ケーシング１１）を基端方向にさらに移動させると、ケーシング１１が糸支持部１５に対して基端方向にさらに移動する。すなわち、糸支持部１５がケーシング１１に対して先端方向にさらに移動する。
【０２１３】
そして、糸支持部１５に設けられているピン１７０が、ケーシング１１のリブ９２の先端部より先端側に位置するまで移動すると、段差部９２１でピン１７０が回動してその突起１７２が伏倒する。
【０２１４】
これにより、ピン１７０による糸８と糸支持部１５との連結が解除され、これによって糸８とクリップ４の糸４６との連結が解除される（糸８によるクリップ４の保持状態が解除される）。すなわち、糸８の端部８２がピン１７０の突起１７２から外れ、その糸８をクリップ４の糸４６の輪４６２から抜き取ることができるようになる。従って、前記段差部９２１により、連結解除手段および保持状態解除手段が構成される。
【０２１５】
そして、引き続き、手元部９（ケーシング１１）を基端方向に移動させると、まずは、本体部２のみ（シース５、カバーチューブ６および固定チューブ７の先端部まで）が患者から抜去される。この段階では、図２５に示すように、糸８の端部８２は、クリップ４の糸４６の輪４６２から抜けずに、患者の体外に位置し、糸８によりクリップ４が保持されている。
【０２１６】
すなわち、この生体内組織閉鎖装置１では、構造および機構上、糸８の長さが比較的長く設定されるので、本体部２が患者から抜去された直後の段階では、糸８の端部８２がクリップ４の糸４６の輪４６２から抜けておらず、糸８によりクリップ４が保持されているとともに、糸８の端部８２は、患者の体外に位置している。このため、術者は、本体部２と、糸８の端部８２とを掴んでいることで、糸８を介してクリップ４を保持（確保）していることができ、これにより、種々の事態に対応することができ、安全性が非常に高い。この場合、例えば、術者は、血管内のクリップ４を、糸８を介して保持しつつ、手術で取り出すこともできる。
【０２１７】
問題がなければ、図２６に示すように、手元部９（ケーシング１１）を基端方向にさらに移動させ、患者から糸８を抜去する。これにより、クリップ４が生体内に配置（留置）される。
【０２１８】
以上説明したように、この生体内組織閉鎖装置１によれば、血管等の生体内組織膜に形成された傷穴を閉じる（閉鎖する）際、配置装置３のカバーチューブ６の開口部６１に保持されているクリップ４をシース５を介して血管内に挿入した後、容易かつ確実に、そのクリップ４のアンカー４１の姿勢を適正な姿勢に調整することができる。これにより、傷穴を容易かつ確実に閉じる（閉鎖する）ことができる。
【０２１９】
また、クリップ４のアンカー４１の位置決めが完了し、レバー２８を操作してロック解除状態とした後は、手元部９（ケーシング１１）を基端方向（一方向）に移動させるだけの操作で、すべての各操作（動作）が術者の操作を必要とすることなく行われ、クリップ４により傷穴が閉じられて、そのクリップ４を生体内に配置（留置）することができる。このため、片手でも容易に操作することができ、血管壁等の生体内組織膜に形成された傷穴に対し、止血作業を容易、迅速かつ確実に行なうことができる。すなわち、傷穴を容易、迅速かつ確実に閉じることができる。
【０２２０】
特に、コイルバネ２２の復元力によりクリップ４の変形部４２を変形させるので、術者は、手作業でクリップ４の変形部４２を変形させる操作を行う必要がなく、また、常に一定の締め込み力を得ることができ、傷穴を極めて容易、迅速かつ確実に閉じることができる。
【０２２１】
また、クリップ４の変形部４２が第１の形態と第２の形態との間の所望の形態になった状態で、糸４６により、その状態を保持することができる。これにより、様々な生体内組織膜の状態（状況）に対応することができる。
【０２２２】
なお、本実施形態では、コネクタ３１にピン３１３が設けられ、ケーシング１１に溝１１２が設けられているが、本発明では、逆に、コネクタ３１に溝（ガイドレール）が設けられ、ケーシングにピン（突起）が設けられていてもよい。
【０２２３】
また、本発明では、ガイドレールは、溝（有底のもの）に限らず、例えば、スリット（無底のもの）等であってもよい。
【０２２４】
＜第２実施形態＞
図２７は、本発明の生体内組織閉鎖装置の第２実施形態におけるケーシング、コネクタおよび第１チャージ部材を示す断面図である。
【０２２５】
なお、図２７は、第１実施形態の図１３に対応する。また、以下では、図２７中の矢印Ａの方向を「先端」、矢印Ｂの方向（手元側）を「基端」、矢印Ｃの方向を「上」、矢印Ｄの方向を「下」として説明を行う。
【０２２６】
以下、第２実施形態について、前述した第１実施形態との相違点を中心に説明し、同様の事項については、その説明を省略する。
【０２２７】
図２７に示すように、第２実施形態の生体内組織閉鎖装置１は、コネクタ３１を基端方向に向けて付勢する付勢手段として、コイルバネ（弾性部材）１２１を有している。
【０２２８】
コイルバネ１２１は、コネクタ３１内に配置されており、その基端部は、ケーシング１１の小径部１１１の先端部に接続（固定）され、先端部は、固定部材１２２を介してコネクタ３１に接続（固定）されている。
【０２２９】
固定部材１２２は、環状をなしており、コネクタ３１の内周側に、そのコネクタ３１に対し、軸方向（長手方向）には移動せずに、周方向のみに回動（回転）自在に設置されている。そして、この固定部材１２２に、前記コイルバネ１２１の先端部が接続されている。これにより、コネクタ３１を回転させる際、コイルバネ１２１が捻れてしまうことを防止することができる。
【０２３０】
なお、初期状態において、コイルバネ１２１は、自然状態または若干、伸長した状態にある。
【０２３１】
クリップ４のアンカー４１の姿勢を調整する際は、術者は、手指でコネクタ３１を摘み、コイルバネ１２１の付勢力（弾性力）に抗して、コネクタ３１をケーシング１１（クリップ４）に対して先端方向に移動させる。これにより、シース５の先端がクリップ４のアンカー４１に当接し、そのアンカー４１の姿勢が適正な姿勢に調整される。また、コイルバネ１２１は、伸長する。
【０２３２】
そして、この後、コネクタ３１を摘んでいる力を緩めるか、またはコネクタ３１を離す。これにより、コネクタ３１は、コイルバネ１２１の付勢力（復元力）により、基端方向に引っ張られてケーシング１１に対して基端方向に移動し、元の位置に戻り、シース５の先端がアンカー４１から離間する。
【０２３３】
この生体内組織閉鎖装置１によれば、前述した第１実施形態と同様の効果が得られる。
そして、この生体内組織閉鎖装置１では、コイルバネ１２１の付勢力により、自動的に、シース５が基端方向に移動し、シース５の先端がアンカー４１から離間するので、アンカー４１の姿勢を調整する作業をより容易に行うことができる。
【０２３４】
＜第３実施形態＞
図２８および図２９は、それぞれ、本発明の生体内組織閉鎖装置の第３実施形態を示す斜視図、図３０は、カム機構の他の構成例を示す斜視図である。
【０２３５】
なお、図２８は、第１実施形態の図２０に対応する。また、以下では、図２８〜図３０において、図中の左側を「先端」、右側を「基端」、上側を「上」、下側を「下」として説明を行う。
【０２３６】
以下、第３実施形態について、前述した第２実施形態との相違点を中心に説明し、同様の事項については、その説明を省略する。
【０２３７】
図２８および図２９に示すように、第３実施形態の生体内組織閉鎖装置１は、クリップ４のアンカー４１の姿勢を調整する調整手段が、コネクタ３１をケーシング１１（クリップ４）に対して相対的に先端方向へ移動させる移動機構１３を有している。
【０２３８】
移動機構１３は、操作部材１３１と、操作部材１３１の運動をコネクタ３１の直線運動に変換する変換機構とを有している。
【０２３９】
操作部材１３１は、環状（筒状）をなしており、コネクタ３１の基端側に配置されている。この操作部材１３１は、ケーシング１１の小径部１１１の外周側に、そのケーシング１１に対し、軸方向（長手方向）には移動せずに、周方向のみに回動（回転）自在に設置されている。
【０２４０】
また、前記変換機構は、本実施形態では、カム機構で構成されている。すなわち、操作部材１３１の先端部（先端面）には、第１のカム面１３２が形成され、コネクタ３１の基端部（基端面）には、その第１のカム面１３２に対面（対向）する第２のカム面３１６が形成されている。第１のカム面１３２の形状と第２のカム面３１６の形状は、それぞれ、円筒体（筒状体）を斜めに切ったときの一方の切り口の形状と他方の切り口の形状をなしており、第１のカム面１３２および第２のカム面３１６により、操作部材１３１の回転運動がコネクタ３１の軸方向の直線運動に変換されるようになっている。
【０２４１】
また、操作部材１３１の外周面には、操作の際に指掛け部として作用する複数のリブ（凸条）１３３が形成されている。各リブ１３３は、それぞれ、コネクタ３１の各リブ３１５に対応する部位に位置するように、等間隔（等角度間隔）で配置されている。
【０２４２】
クリップ４のアンカー４１の姿勢を調整する際は、術者は、手指で操作部材１３１を摘み、図２８に示す状態から操作部材１３１を所定方向に１８０°回転させる。これにより、図２９に示すように、コネクタ３１は、第１のカム面１３２および第２のカム面３１６の作用により、コイルバネ１２１の付勢力（弾性力）に抗して、ケーシング１１（クリップ４）に対して先端方向に移動し、シース５の先端がクリップ４のアンカー４１に当接し、そのアンカー４１の姿勢が適正な姿勢に調整される。また、コイルバネ１２１は、伸長する。
【０２４３】
そして、この後、操作部材１３１をさらに１８０°回転させる。これにより、図２８に示すように、コネクタ３１は、コイルバネ１２１の付勢力（復元力）により、基端方向に引っ張られてケーシング１１に対して基端方向に移動し、元の位置に戻り、シース５の先端がアンカー４１から離間する。
【０２４４】
ところで、コネクタ３１をケーシング１１に対して回転させる際は、第１のカム面１３２および第２のカム面３１６の作用により、そのコネクタ３１とともに操作部材１３１が一体的に回転し、コネクタ３１と操作部材１３１の位置関係は保持される。
【０２４５】
なお、移動機構１３のカム機構の構成は、前記のものには限定されず、次に、カム機構の他の構成例について説明する。
【０２４６】
図３０に示すように、このカム機構では、操作部材１３１の第１のカム面１３２ａの形状とコネクタ３１の第２のカム面３１６ａの形状が、それぞれ、円筒体（筒状体）を周方向に沿って波状に切ったときの一方の切り口の形状と他方の切り口の形状をなしている。
【０２４７】
この移動機構１３では、操作部材１３１を所定方向に９０°回転させるまでは、コネクタ３１は、第１のカム面１３２ａおよび第２のカム面３１６ａの作用により、ケーシング１１に対して先端方向に移動し、操作部材１３１をさらに９０°回転させると、コネクタ３１は、コイルバネ１２１の付勢力により、基端方向に引っ張られてケーシング１１に対して基端方向に移動し、元の位置に戻る。
【０２４８】
この生体内組織閉鎖装置１によれば、前述した第２実施形態と同様の効果が得られる。
そして、この生体内組織閉鎖装置１では、操作部材１３１が設けられているので、アンカー４１の姿勢を調整する作業をさらに容易に行うことができる。
【０２４９】
＜第４実施形態＞
図３１および図３２は、それぞれ、本発明の生体内組織閉鎖装置の第４実施形態を示す斜視図である。
なお、図３１および図３２では、シース等の先端側の部材の図示を省略する。
【０２５０】
また、以下では、図３１および図３２において、図中の左側を「先端」、右側を「基端」、上側を「上」、下側を「下」として説明を行う。
【０２５１】
以下、第４実施形態について、前述した第３実施形態との相違点を中心に説明し、同様の事項については、その説明を省略する。
【０２５２】
図３１および図３２に示すように、第４実施形態の生体内組織閉鎖装置１では、移動機構１３が移動体１３４を有するとともに、変換機構がリンク機構で構成されている。
【０２５３】
移動体１３４は、環状（筒状）をなしており、コネクタ３１の基端側に配置されている。この移動体１３４は、ケーシング１１の小径部１１１の外周側に、そのケーシング１１に対し、周方向には回動せずに、軸方向（長手方向）のみに移動可能に設置されている。
【０２５４】
また、前記リンク機構は、１対のリンク（棒状体）１３５、１３６を有している。リンク１３５とリンク１３６は、その中央部において、互いに回動（回転）自在に連結されている。そして、リンク１３５の下端部は、移動体１３４に回動自在に連結され、リンク１３６の下端部は、ケーシングの先端部の外周面に回動自在に連結されている。なお、このリンク１３５やリンク１３６が、移動機構１３の上端部が操作部材を兼ねる（操作部材として機能する）。
【０２５５】
クリップ４のアンカー４１の姿勢を調整する際は、術者は、手指でリンク１３５の上端部を押し、図３１に示す状態からリンク１３６を図３１中時計回りに回転させる。これにより、図３２に示すように、リンク１３５および１３６の作用により、移動体１３４が先端方向に移動し、コネクタ３１は、その移動体１３４により先端方向に押され、コイルバネ１２１の付勢力（弾性力）に抗して、ケーシング１１（クリップ４）に対して先端方向に移動し、シース５の先端がクリップ４のアンカー４１に当接し、そのアンカー４１の姿勢が適正な姿勢に調整される。また、コイルバネ１２１は、伸長する。
【０２５６】
そして、この後、リンク１３５を押している力を緩めるか、またはリンク１３５を離す。これにより、図３１に示すように、コネクタ３１は、移動体１３４とともに、コイルバネ１２１の付勢力（復元力）により、基端方向に引っ張られてケーシング１１に対して基端方向に移動し、元の位置に戻り、シース５の先端がアンカー４１から離間する。
【０２５７】
なお、前記の操作は、リンク１３６を使用して行ってもよい。また、移動機構１３のリンク機構の構成は、前記のものに限定されないことは言うまでもない。
この生体内組織閉鎖装置１によれば、前述した第３実施形態と同様の効果が得られる。
【０２５８】
以上、本発明の生体内組織閉鎖装置を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０２５９】
また、本発明は、前記各実施形態のうちの、任意の２以上の構成（特徴）を組み合わせたものであってもよい。
【０２６０】
なお、前記実施形態では、糸８の２つの端部のうち、一方を手元部９内に固定し、他方を連結解除されるものとしたが、本発明では、両端とも同時に解除されるものとすることもできる。そのように構成すれば、糸８はクリップ４に接続されたまま生体側に残ることとなる。その後、糸８は術者の手技により、自由に除去することができる。
【０２６１】
また、本発明では、コイルバネ（第１弾性部材）２２を変形状態（活性状態）に保持する規制の解除（トリガ手段）が、例えば、スイッチやボタンの操作等で行われるようになっていてもよい。
【０２６２】
また、本発明では、調整手段の移動機構は、例えば、モータ（駆動源）を備え、電気的なスイッチの操作により、そのモータが駆動して作動するように構成されていてもよい。
【０２６３】
また、本発明では、保持部材１８が省略されていてよく、例えば、初期状態（組み立て直後の状態）において、クリップ４の変形部４２がカバーチューブ６の開口部６１に保持されていてもよい。
【０２６４】
また、前記実施形態では、シース５のハブ５２とコネクタ３１とが、他の部材を介して間接的に連結されるようになっているが、本発明では、これに限らず、ハブ５２とコネクタ３１とが、直接、連結されるようになっていてもよい。
【符号の説明】
【０２６５】
１              生体内組織閉鎖装置
２              本体部
３              配置装置
４              クリップ
４０            クリップ本体
４１            アンカー
４１２          平面部
４２            変形部
４２１、４２２  角部
４２３          上面
４２５〜４２８  孔
４２９          段差部
４４            接続部
４４１          孔
４６            糸
４６１          結び目
４６２          輪
５              シース
５０            チューブ
５１            貫通孔
５２            ハブ
５３            ポート部
５４            溝
６              カバーチューブ
６１            開口部
７              固定チューブ
７１            先端部
８              糸
８１、８２      端部
９              手元部
１１            ケーシング
１１ａ          上カバー
１１ｂ          下カバー
１１１          小径部
１１２          溝
１１２１        第１の部位
１１２２        第２の部位
１２１          コイルバネ
１２２          固定部材
１３            移動機構
１３１          操作部材
１３２、１３２ａ  第１のカム面
１３３          リブ
１３４          移動体
１３５、１３６  リンク
１４            カバーチューブ支持部
１４３          孔部
１５            糸支持部
１５０          凹部
１５５          突起
１５６          糸固定部
１５７、１５８  孔部
１７０          ピン
１７１          基部
１７２          突起
１８            保持部材
１８ａ          基端側部材
１８ｂ          先端側部材
１８１          凸部
１８２          側孔
１８３          リブ
１８４          溝
１８５          管状部
１８６          基端部
１８７          最基端部
１９０          収納部
１９１          広空間部
１９１１        最大広空間部
１９１２        基端側空間部
１９２          狭空間部
１９３          移行部
１９４          傾斜面
２２            コイルバネ
２８            レバー
２９            ロック部
２９１          突出部
３１            コネクタ
３１１、３１２  リブ
３１３        ピン
３１５          リブ
３１６、３１６ａ  第２のカム面
３２            第１チャージ部材
３２１          基部
３２２          棒状体
３２３          凸部
３２４          孔部
３２５          基端部
３２６          爪
３２７、３２８  突起
３３            第２チャージ部材
３３１〜３３３  孔部
３３４          突出部
３３５          爪
３３６          凹部
３４            スライド連結部材
３４１          基部
３４２          棒状体
３４３          爪
３４４、３４５  孔部
３４６          突起
３４７          基端部
３５            ストッパー
３５１          ストッパー本体
３５２          支持部
３６            レール
３６１          溝
３７            ガイドバー
３８、３９      ガイドバー支持部
９１、９２      リブ
９２１          段差部
【図１】
2011000266.tif 000003
【図２】
2011000266.tif 000004
【図３】
2011000266.tif 000005
【図４】
2011000266.tif 000006
【図５】
2011000266.tif 000007
【図６】
2011000266.tif 000008
【図７】
2011000266.tif 000009
【図８】
2011000266.tif 000010
【図９】
2011000266.tif 000011
【図１０】
2011000266.tif 000012
【図１１】
2011000266.tif 000013
【図１２】
2011000266.tif 000014
【図１３】
2011000266.tif 000015
【図１４】
2011000266.tif 000016
【図１５】
2011000266.tif 000017
【図１６】
2011000266.tif 000018
【図１７】
2011000266.tif 000019
【図１８】
2011000266.tif 000020
【図１９】
2011000266.tif 000021
【図２０】
2011000266.tif 000022
【図２１】
2011000266.tif 000023
【図２２】
2011000266.tif 000024
【図２３】
2011000266.tif 000025
【図２４】
2011000266.tif 000026
【図２５】
2011000266.tif 000027
【図２６】
2011000266.tif 000028
【図２７】
2011000266.tif 000029
【図２８】
2011000266.tif 000030
【図２９】
2011000266.tif 000031
【図３０】
2011000266.tif 000032
【図３１】
2011000266.tif 000033
【図３２】
2011000266.tif 000034